(57)【要約】【課題】本発明の課題は、ケーシングのコーナー若しくはデッドスペースへの吸着部材の配置を容易にして大型化を抑制すると共に、吸着部材が吸着する水分量を十分に確保することができる空調機の室外ユニットを提供することにある。【解決手段】室外ユニット３０では、加湿ロータ６３を吹出口４６ａの開口面に対して傾斜させることによって、ケーシング４０のコーナー若しくはデッドスペースへの配置を容易にし、室外ユニット３０のサイズ拡大を抑制する。また、室外熱交換器３３を通過しない空気が吸込開口４６ｂと繋がる吸着用ダクト６８の外気導入口６８１から流入する上、室外熱交換器３３への着霜が発生した際には室外熱交換器３３の通風抵抗増加で減少した風量に相当する量の空気が当該外気導入口６８１から導入されることになり、［室外熱交換器を通過した空気が空気流路の空気導入口から流入するタイプ］よりも吸着風量が増加する。【選択図】図４
2016118374.tif 000002
【特許請求の範囲】
【請求項１】
空気中の水分を吸着した後に加熱されることによって前記水分を放出する板状の吸着部材（６３）を利用した加湿機能を有する、空調機の室外ユニットであって、
前記吸着部材（６３）を収容し、前面に吹出口（４６ａ）を有する本体ケーシング（４０）と、
前記本体ケーシング（４０）に収納される室外熱交換器（３３）と、
前記本体ケーシング（４０）に収納され、前記室外熱交換器（３３）を通過する空気流を生成する室外ファン（３９）と、
を備え、
前記吸着部材（６３）は、前記吹出口（４６ａ）の開口面に対して傾斜しており、
前記本体ケーシング（４０）には、
前記吹出口（４６ａ）とは異なる位置に設けられ、前記室外熱交換器（３３）を通過しない空気を導入して、前記吸着部材（６３）へ流す空気導入口（６８１）と、
前記吸着部材（６３）内を通過した空気を排出する空気排出口（６８３）と、
を有する空気流路（６８）が設けられている、
空調機の室外ユニット（３０）。
【請求項２】
前記室外ファン（３９）からの空気を前記吹出口（４６ａ）へ案内するベルマウス（５２）をさらに備え、
前記ベルマウス（５２）の空気流れ方向の上流側端部（５２３）と、前記空気流路（６８）の前記空気排出口（６８３）とが隣接している、
請求項１に記載の空調機の室外ユニット（３０）。
【請求項３】
前記吸着部材（６３）の姿勢は、鉛直軸周りに回された傾斜姿勢である、
請求項１に記載の空調機の室外ユニット（３０）。
【請求項４】
前記吸着部材（６３）の姿勢は、水平軸周りに回された傾斜姿勢である、
請求項１に記載の空調機の室外ユニット（３０）。
【請求項５】
前記吸着部材（６３）の姿勢は、鉛直軸周りに回され且つ水平軸周りにも回された傾斜姿勢である、
請求項１に記載の空調機の室外ユニット（３０）。
【請求項６】
前記吸着部材（６３）の傾斜角度（θ）は、前記吹出口（４６ａ）の開口面に対して０°を除く９０°未満である、
請求項３から請求項５のいずれか１項に記載の空調機の室外ユニット（３０）。
【請求項７】
前記吸着部材（６３）の傾斜角度（θ）は、前記吹出口（４６ａ）の開口面に対して５°〜４５°の範囲内である、
請求項３から請求項５のいずれか１項に記載の空調機の室外ユニット（３０）。
【請求項８】
前記吸着部材（６３）では、前記空気流路（６８）を流れる空気中の水分を吸着する吸着側と、吸着した前記水分を放出する放出側とが並存し、前記吸着側が前記ベルマウス（５２）寄りに配置されている、
請求項２から請求項７に記載の空調機の室外ユニット（３０）。
【請求項９】
前記ベルマウス（５２）の空気流れ方向の下流側端部（５２１）及び前記空気流路（６８）の前記空気導入口（６８１）が、前記本体ケーシング（４０）の前記前面（４６）に設けられている、
請求項２から請求項８のいずれか１項に記載の空調機の室外ユニット（３０）。
【発明の詳細な説明】
【技術分野】
【０００１】
本発明は、空調機の室外ユニットに関し、特に加湿機能を有する空調機の室外ユニットに関する。
【背景技術】
【０００２】
近年、加湿機能を有する空調機の室外ユニットが広く普及するようになった。例えば、特許文献１（特開２００８−１９０８２８号公報）に開示されている室外ユニットでは、吸着部材が前面に平行で且つ吸着部材の一部が前面から視て吹出口と重なるように配置され、その吸着部材に室外熱交換器を通過した空気が流れる。吸着部材は、自己を通過する空気から水分を吸着し、所定の場所で加熱され、水分を放出し加湿空気を生成する。
【発明の概要】
【発明が解決しようとする課題】
【０００３】
上記の室外ユニットでは、吸着部材の一部が前面から視て吹出口と重なるように配置されている関係で小型化を図ることはできるが、空気が室外熱交換器を通過する際に除湿されて水分量が減少した状態で吸着部材に流れるので、吸着部材が吸着できる水分量が減少し、加湿能力が低下する懸念がある。特に、室外熱交換器への着霜が始まると通常よりも通風抵抗が増加するので、吸着部材への風量が減少し、加湿性能が極端に低下する可能性がある。
【０００４】
一方、上記懸念を解消するために、前面から視て吹出口と吸着部材とが重ならないように前面と平行な方向に沿って吹出口と吸着部材とを並べると、今度は、サイズが大型化し、室外ユニットの省スペース化を阻害する。
【０００５】
本発明の課題は、ケーシングのコーナー若しくはデッドスペースへの吸着部材の配置を容易にして大型化を抑制すると共に、吸着部材が吸着する水分量を十分に確保することができる空調機の室外ユニットを提供することにある。
【課題を解決するための手段】
【０００６】
本発明の第１観点に係る空調機の室外ユニットは、空気中の水分を吸着した後に加熱されることによって水分を放出する板状の吸着部材を利用した加湿機能を有する、空調機の室外ユニットであって、本体ケーシングと、室外熱交換器と、室外ファンとを備えている。本体ケーシングは、吸着部材を収容し、前面に吹出口を有する。室外熱交換器は、本体ケーシングに収納される。室外ファンは、本体ケーシングに収納され、室外熱交換器を通過する空気流を生成する。吸着部材は、吹出口の開口面に対して傾斜している。本体ケーシングには、空気流路が設けられている。その空気流路は、空気導入口と空気排出口とを有している。空気導入口は、吹出口とは異なる位置に設けられ、室外熱交換器を通過しない空気を導入して、吸着部材へ流す。空気排出口は、吸着部材内を通過した空気を排出する。
【０００７】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。そこで、この室外ユニットでは、吸着部材を吹出口の開口面に対して傾斜させることによって、本体ケーシングのコーナー若しくはデッドスペースへの配置を容易にし、室外ユニットのサイズ拡大を抑制する。さらに、室外熱交換器を通過しない空気が空気流路の空気導入口から流入するので、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【０００８】
本発明の第２観点に係る空調機の室外ユニットは、第１観点に係る空調機の室外ユニットであって、室外ファンからの空気を吹出口へ案内するベルマウスをさらに備えている。ベルマウスの空気流れ方向の上流側端部と、空気流路の空気排出口とが隣接している。
【０００９】
この室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。
【００１０】
本発明の第３観点に係る空調機の室外ユニットは、第１観点に係る空調機の室外ユニットであって、吸着部材の姿勢が、鉛直軸周りに回された傾斜姿勢である。
【００１１】
この室外ユニットでは、吸着部材が鉛直軸周りに回された傾斜姿勢を採ることによって、本体ケーシングのコーナー若しくはデッドスペースへの配置を容易にし、室外ユニットのサイズ拡大を抑制する。
【００１２】
本発明の第４観点に係る空調機の室外ユニットは、第１観点に係る空調機の室外ユニットであって、吸着部材の姿勢が、水平軸周りに回された傾斜姿勢である。
【００１３】
この室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００１４】
本発明の第５観点に係る空調機の室外ユニットは、第１観点に係る空調機の室外ユニットであって、吸着部材の姿勢が、鉛直軸周りに回され且つ水平軸周りにも回された傾斜姿勢である。
【００１５】
この室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００１６】
本発明の第６観点に係る空調機の室外ユニットは、第３観点から第５観点のいずれか１つに係る空調機の室外ユニットであって、吸着部材の傾斜角度が、吹出口の開口面に対して０°を除く９０°未満である。
【００１７】
この室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００１８】
本発明の第７観点に係る空調機の室外ユニットは、第３観点から第５観点のいずれか１つに係る空調機の室外ユニットであって、吸着部材の傾斜角度が、吹出口の開口面に対して５°〜４５°の範囲内である。
【００１９】
この室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００２０】
本発明の第８観点に係る空調機の室外ユニットは、第２観点から第７観点のいずれか１つに係る空調機の室外ユニットであって、吸着部材では、空気流路を流れる空気中の水分を吸着する吸着側と、吸着した水分を放出する放出側とが並存し、吸着側がベルマウス寄りに配置されている。
【００２１】
この室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００２２】
本発明の第９観点に係る空調機の室外ユニットは、第２観点から第８観点のいずれか１つに係る空調機の室外ユニットであって、ベルマウスの空気流れ方向の下流側端部及び空気流路の空気導入口が、本体ケーシングの前面に設けられている。
【００２３】
この室外ユニットでは、ベルマウスの空気流れ方向の下流側端部が本体ケーシングの前面に設けられるので、ベルマウスの下流側端部と吹出口周縁とが合わされる。その結果、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【００２４】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【発明の効果】
【００２５】
本発明の第１観点に係る空調機の室外ユニットでは、吸着部材を吹出口の開口面に対して傾斜させることによって、本体ケーシングのコーナー若しくはデッドスペースへの配置を容易にし、室外ユニットのサイズ拡大を抑制する。さらに、室外熱交換器を通過しない空気が空気流路の空気導入口から流入するので、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【００２６】
本発明の第２観点に係る空調機の室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。
【００２７】
本発明の第３観点に係る空調機の室外ユニットでは、吸着部材が鉛直軸周りに回された傾斜姿勢を採ることによって、本体ケーシングのコーナー若しくはデッドスペースへの配置を容易にし、室外ユニットのサイズ拡大を抑制する。
【００２８】
本発明の第４観点に係る空調機の室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００２９】
本発明の第５観点に係る空調機の室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００３０】
本発明の第６観点に係る空調機の室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００３１】
本発明の第７観点に係る空調機の室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００３２】
本発明の第８観点に係る空調機の室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００３３】
本発明の第９観点に係る空調機の室外ユニットでは、ベルマウスの空気流れ方向の下流側端部が本体ケーシングの前面に設けられるので、ベルマウスの下流側端部と吹出口周縁とが合わされる。その結果、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【００３４】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【図面の簡単な説明】
【００３５】
【図１】本発明の一実施形態に係る室外ユニットを備えた冷凍装置の構成図。
【図２】室外ユニットの外観斜視図。
【図３】防護用グリル、ベルマスス、天板、及び閉鎖弁カバーが取り外された状態の室外ユニットの斜視図。
【図４】防護用グリル、天板、及び閉鎖弁カバーが取り外された状態の室外ユニットの平面図。
【図５】加湿ロータ及びその加湿ロータを通過する空気の流れを示す参考斜視図。
【図６】ヒータを取り外した状態の加湿ユニットの斜視図。
【図７】外気吸入口、加熱前外気入口、及び両者を連絡する連絡ダクトの位置関係を示す概略断面図。
【図８】前板が取り外された状態の変形例に係る室外ユニットの正面図。
【図９】図８におけるベルマウスと加湿ユニットとの位置関係を示す部分斜視図。
【発明を実施するための形態】
【００３６】
以下、図面を参照しながら、本発明の実施形態について説明する。なお、以下の実施形態は、本発明の具体例であって、本発明の技術的範囲を限定するものではない。
【００３７】
（１）空調機１０の構成の概要
図１は、本発明の一実施形態に係る室外ユニット３０を備えた冷凍装置の構成図である。図１において、この冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００３８】
室内ユニット２０には室内熱交換器２１が搭載され、室外ユニット３０には圧縮機３１、四路切換弁３２、室外熱交換器３３、電動膨張弁３４、アキュムレータ３６、液側閉鎖弁３７及びガス側閉鎖弁３８が搭載されている。
【００３９】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００４０】
本実施形態では、加湿ユニット６０が室外ユニット３０内に設けられており、加湿ユニット６０が外気から水分を取り込む機能を有している。
【００４１】
（２）室内ユニット２０の構成
室内ユニット２０には、図１に示すようにモータで駆動される室内ファン２２が室内熱交換器２１の下流側に配置されている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００４２】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００４３】
（３）室外ユニット３０の構成
（３−１）全体構成
図２は、室外ユニット３０の外観斜視図である。また、図３は、室外ユニット３０から防護用グリル５６、ベルマウス５２、天板４８、及び閉鎖弁カバー５７が取り外された状態の当該室外ユニット３０の斜視図である。さらに、図４は、防護用グリル５６、天板４８、及び閉鎖弁カバー５７が取り外された状態の室外ユニット３０の平面図である。
【００４４】
図１〜図４において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図２参照）から吹き出される。通常、吹出口４６ａの前方は防護用グリル５６（図２参照）で覆われており、外部からプロペラ３９ｂに触れられないようになっている。
【００４５】
加湿ユニット６０の少なくとも一部は室外ユニット３０の送風機室４１に配置され、他は機械室４２に配置される。
【００４６】
（３−２）詳細構成
（３−２−１）ケーシング４０
図２から図４に示す通り、ケーシング４０は、図２に記載の防護用グリル５６側を正面に視た状態において、左側面を形成する左側板４５（図４参照）、前面を形成する前板４６、右側面を形成する右側板４７（図３参照）、天面を形成する天板４８（図２参照）、底面を形成する底板４９（図３参照）、及び背面部４４（図４参照）からなる筐体であり、内部を仕切部材４３（図３参照）によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００４７】
仕切部材４３は、天板４８側から底板４９側に向って鉛直方向に延びている。また、仕切部材４３は、前板４６内面側から室外熱交換器３３の右端向かって直線部分及び円弧部分を形成しながら延びている。その結果、仕切部材４３は送風機室４１から機械室４２に風が回り込まないように遮蔽する機能を有している。
【００４８】
また、図２に示すように、前板４６に形成された吹出口４６ａは円形である。吹出口４６ａには、その周縁に沿うようにリング状のベルマウス５２の下流側端部５２１（図４参照）が取り付けられている。
【００４９】
さらに、前板４６には、吹出口４６ａの周縁と右上コーナーとの挟まれた領域に吸込開口４６ｂ（図２参照）が形成されている。この吸込開口４６ｂは、室外熱交換器３３を通過していない外気を取り入れるために設けられている。
【００５０】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００５１】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００５２】
（３−２−４）室外熱交換器３３
図４に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００５３】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００５４】
（３−２−６）仕切部材４３
仕切部材４３は、ケーシング４０内を送風機室４１と機械室４２とに仕切る。本実施形態では、加湿ユニット６０の一部が機械室４２の上部に配置されるので、加湿ユニット６０が仕切部材４３上部の一部分を兼ねている。
【００５５】
（３−２−７）加湿ユニット６０
図４に示すように、加湿ユニット６０は、前板４６と背面部４４との間で、送風機室４１と機械室４２とに跨るように配置されている。加湿ユニット６０は、加湿ロータ６３、吸着用ダクト６８、ヒータ７１（図１参照）、加湿用ダクト７３（図１参照）、ファン７５（図１参照）、及び加湿用第２ダクト１８０（図３参照）を有している。
【００５６】
（３−２−８）防護用グリル５６
図２に示すように、防護用グリル５６は、ケーシング４０の前板４６に取り付けられ、吹出口４６ａを覆っている。防護用グリル５６には、空気を吹き出すため、複数の開口部が形成されている。
【００５７】
（３−２−９）閉鎖弁カバー５７
図３に示すように右側板４７の下方には、液冷媒連絡配管１４が接続される液側閉鎖弁３７と、ガス冷媒連絡配管１６が接続されるガス側閉鎖弁３８とが外側に突出している。
【００５８】
閉鎖弁カバー５７は、液側閉鎖弁３７及びガス側閉鎖弁３８を覆うカバーである。また、閉鎖弁カバー５７は、右側板４７に予め設けられている開口から突出する加湿用第２ダクト１８０をも覆う。当該開口は、加湿ユニット６０のヒータ７１側に取り入れられる外気の吸入口としての機能もあり、説明の便宜上、外気吸入口４７１とよぶ。
【００５９】
また、外気吸入口４７１は、電気配線の取り入れ口、取り出し口としての機能も有し、外気吸入口４７１の近傍に電気配線の結線部５５０が設けられている。
【００６０】
閉鎖弁カバー５７は、右側板４７にビス止めにより固定される。図２に示すように、閉鎖弁カバー５７が、右側板４７に固定されると、液側閉鎖弁３７、ガス側閉鎖弁３８、加湿用第２ダクト１８０、結線部５５０及び外気吸入口４７１は閉鎖弁カバー５７で覆われて保護される。
【００６１】
閉鎖弁カバー５７の外側には、サービスパーソンが室外ユニット３０を持ち上げる際に手を掛けるための窪み部分が設けられており、窪み部分の上側が手を掛ける取っ手５７ａとして機能する。取っ手５７ａは、その窪み部分の庇としての役割も果たしている。
【００６２】
それゆえ、その窪み部分に開口５７１が設けられることにより、取っ手５７ａが開口５７１に直に雨水がかかることを抑制するので、外気のみが開口５７１を通って右側板４７の外気吸入口４７１に到達するようになる。
【００６３】
本実施形態では、外気吸入口４７１と開口５７１とをほぼ同じ高さ位置となるように寸法が設定されている。
【００６４】
（４）加湿ユニット６０の詳細構成
（４−１）加湿ロータ６３
図４に示すように、加湿ロータ６３は、円板状で、鉛直軸周りに回された傾斜姿勢であり、吹出口４６ａの開口面に対して所定角度θだけ傾斜している。その所定角度θは９０°未満（０°を含まない）であるが、５°〜４５°の範囲内であることが望ましく、推奨値は２８．５°である。
【００６５】
加湿ロータ６３の板面が吹出口４６ａの開口面に対して所定角度θだけ傾斜することによって、ケーシング４０のコーナー若しくはデッドスペースへの配置を容易にし、室外ユニット３０のサイズ拡大を抑制することができる。
【００６６】
図５は、加湿ロータ及び加湿ロータを通過する空気の流れを示す斜視図である。図５において、加湿ロータ６３は、モータ駆動によって回転することができる。加湿ロータ６３は、中心角２４０°分の扇形領域で水分を吸着しており、説明の便宜上、この領域を水分吸着領域６３ａという。また、加湿ロータ６３は、水分吸着領域６３ａに隣接する中心角１２０°分の扇形領域で水分を放出しており、説明の便宜上、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００６７】
加湿ロータ６３は、周囲にギア６３ｔが設けられている。また、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００６８】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００６９】
したがって、加湿ユニット６０では、加湿ロータ６３の水分放出領域６３ｂと前板４６との間に、水分放出領域６３ｂと対向するようにヒータ７１が配置されている。
【００７０】
（４−２）吸着用ダクト６８
図６は、ヒータ７１を取り外した状態の加湿ユニット６０の参考斜視図である。図６は、図３に記載の加湿ユニット６０と完全一致のモデルではないが、機能的には同等であり、各部の作用を説明する上で何ら支障はない。
【００７１】
図６において、加湿ユニット６０は、水分吸着領域６３ａに外気を導くための吸着用ダクト６８が設けられている。吸着用ダクト６８は、前板４６の吸込開口４６ｂ（図２参照）に向かって開口する外気導入口６８１を形成している。
【００７２】
水分を含む空気は、外気導入口６８１から吸い込まれた後、吸着用ダクト６８内を流れて加湿ロータ６３の水分吸着領域６３ａに到達し、そこを透過する際に水分が吸着され、空気排出口６８３（図４参照）から排出される。空気排出口６８３は、室外ファン３９が回転するときに負圧になる空間（つまり、ベルマウス５２の上流側端部５２３）に隣接しており、空気排出口６８３側の気圧が外気導入口６８１側より低くなる作用によって、空気が外気導入口６８１から吸い込まれる。なお、水分吸着領域６３ａが水分放出領域６３ｂよりもベルマウス５２側に配置されている。
【００７３】
図２に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００７４】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口４６ｂ及び外気導入口６８１が室外熱交換器３３を通過した空気を吸い込まない構成にしておけば、より水分を含んだ外気を取り込むことができるので、加湿ロータ６３が吸着する水分量が低下することを防止することができる。
【００７５】
また、図４に示すように、加湿ロータ６３の板面が吹出口４６ａの開口面に対して所定角度θだけ傾斜するということは、吸込開口４６ｂに対して所定角度θだけ傾斜していることであり、吸着用ダクト６８の空気排出口６８３も同様に傾斜している。
【００７６】
それゆえ、ベルマウス５２の上流側端部と、空気排出口６８３がより接近し、空気排出口６８３はベルマウス５２の上流側端部の負圧の効果をより多く受けることができる。その結果、吸込開口４６ｂからより多くの外気を流入させることができる。
【００７７】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００７８】
（４−４）加湿用ダクト７３
図１及び図６に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００７９】
加湿用ダクト７３に導かれる空気は、図３及び図４に示すように、加湿ロータ６３を挟んでヒータ７１と反対側に位置する加熱前外気入口７３１からヒータ７１に向かい、ヒータ７１に加熱されて高温空気になり、さらに、加湿ロータ６３を透過する際に水分放出領域６３ｂから水分を放出させ高温高湿空気となってファン７５に向う。
【００８０】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００８１】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００８２】
（４−６）連絡ダクト７７
図７は、外気吸入口４７１、加熱前外気入口７３１、及び両者を連絡する連絡ダクト７７の位置関係を示す概略断面図である。図７において、連絡ダクト７７は、樹脂製の成形部材である。連絡ダクト７７は、ダクト入口７７１と、ダクト出口７７３と、連絡路７７５とを有している。
【００８３】
図７に示すように、右側板４７には、外気を吸入するための開口である外気吸入口４７１が予め設けられている。そして、ダクト入口７７１は、その外気吸入口４７１に対向するように配置されている。
【００８４】
ダクト出口７７３は、加湿用ダクト７３の加熱前外気入口７３１に挿入される。連絡路７７５は、ダクト入口７７１とダクト出口７７３とを結んでいる。
【００８５】
外気吸入口４７１から取り入れられた外気は、連絡ダクト７７を通って加熱前外気入口７３１に到達する。
【００８６】
（４−７）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、図３及び図４に示すように、給気ホース１８との接続口を含む所定部分だけは、右側板４７を挟んで機械室４２の反対側に位置する。
【００８７】
図６に示すように、加湿用第２ダクト１８０は、横方向ダクト部１８１と縦方向ダクト部１８２とを有している。横方向ダクト部１８１は高温高湿空気を横方向に導くダクトであり、縦方向ダクト部１８２は横方向ダクト部１８１に流入した高温高湿空気を下方に導くダクトである。横方向ダクト部１８１は、機械室４２から右側板４７の後方端に向って延びている。
【００８８】
図６では、横方向ダクト部１８１と縦方向ダクト部１８２とが９０°程度の角度を成しているが、あくまでも参考であり９０°以上の角度であってもよい。
【００８９】
なお、縦方向ダクト部１８２は、横方向ダクト部１８１との接続口から下方に延び、終端が、給気ホース１８と接続される。
【００９０】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００９１】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００９２】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００９３】
この室内ユニット２０に送られた低圧の冷媒は、気液二相状態の冷媒となって室内熱交換器２１に入り、室内熱交換器２１において室内空気と熱交換を行って蒸発して低圧のガス冷媒となる。
【００９４】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００９５】
このように、空調機１０では、室外熱交換器３３を冷媒の凝縮器として、かつ、室内熱交換器２１を冷媒の蒸発器として機能させる冷房運転を行うことができる。
【００９６】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【００９７】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【００９８】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【００９９】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【０１００】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【０１０１】
（５−３）加湿運転
空調機１０では、加湿運転は暖房運転と組み合わせて行われる。図１〜図６に示すように、吸着用ダクト６８の外気導入口６８１（図３参照）は前板４６の吸込開口４６ｂ（図２参照）に向かって開口し、空気排出口６８３（図４参照）は室外ファン３９が回転するときに負圧となるベルマウス５２の上流側端部５２３に隣接している。室外ファン３９が稼動すると、空気排出口６８３側の気圧が外気導入口６８１側より低くなり、その作用によって「室外熱交換器３３を通っていない、水分を含んだ外気」が吸込開口４６ｂを経て外気導入口６８１から吸い込まれる。
【０１０２】
加湿ロータ６３は、外気導入口６８１と空気排出口６８３との間で且つ空気排出口６８３近傍に位置し、加湿運転時にはロータ駆動用モータ６４（図５参照）の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【０１０３】
また、ファン７５（図１参照）も駆動しているので、ヒータ７１に加熱される前の空気は、図７に示すように右側板４７の外気吸入口４７１から取り入れられ、連絡ダクト７７を通り、加熱前外気入口７３１に到達した後、ヒータ７１に向かう。加熱前外気は、ヒータ７１周囲に回り込み、加熱される。
【０１０４】
加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【０１０５】
（６）特徴
（６−１）
室外ユニット３０では、加湿ロータ６３を吹出口４６ａの開口面に対して傾斜させることによって、ケーシング４０のコーナー若しくはデッドスペースへの配置を容易にし、室外ユニット３０のサイズ拡大を抑制する。また、室外熱交換器３３を通過しない空気が吸込開口４６ｂと繋がる吸着用ダクト６８の外気導入口６８１から流入する上、室外熱交換器３３への着霜が発生した際には室外熱交換器３３の通風抵抗増加で減少した風量に相当する量の空気が当該外気導入口６８１から導入されることになり、［室外熱交換器を通過した空気が空気流路の空気導入口から流入するタイプ］よりも吸着風量が増加する。
【０１０６】
（６−２）
室外ユニット３０では、ベルマウス５２と吸着用ダクト６８とが隣接することによって、室外ファン３９の稼動によりベルマウス５２の上流側端部が負圧になり、吸着用ダクト６８の外気導入口６８１から空気が導入されるという作用が働く。特に、ベルマウス５２の上流側端部と吸着用ダクト６８の空気排出口６８３とが隣接することによってベルマウス５２の上流側端部の負圧の効果を多く受けることができる。その結果、吸込開口４６ｂからより多くの外気を流入させることができる。
【０１０７】
（６−３）
室外ユニット３０では、加湿ロータ６３が鉛直軸周りに回された傾斜姿勢であって、吹出口４６ａの開口面に対して５°〜４５°の範囲内で傾斜することによって、ベルマウス５２の上流側端部と、吸着用ダクト６８の空気排出口６８３とがより接近するので、ベルマウス５２の上流側端部の負圧の効果をより多く受けることができる。また、その傾斜姿勢を採ることによって、ケーシング４０のコーナー若しくはデッドスペースへの配置を容易にし、室外ユニット３０のサイズ拡大を抑制する。
【０１０８】
（６−４）
室外ユニット３０では、室外ファン３９の稼動によりベルマウス５２の上流側端部が負圧になることによって吸込開口４６ｂと繋がる吸着用ダクト６８の外気導入口６８１から空気が導入され、導入された空気は加湿ロータ６３の水分吸着領域６３ａに導かれるのが合理的であるから、水分吸着領域６３ａ側がベルマウス５２寄りに配置されることによってベルマウス５２の上流側端部の負圧の効果をより多く受けることができる。その結果、吸込開口４６ｂからより多くの外気を流入させることができる。
【０１０９】
（６−５）
室外ユニット３０では、ベルマウス５２の空気流れ方向の下流側端部５２１（図４参照）がケーシング４０の前板４６に設けられるのでベルマウス５２の下流側端部５２１と吹出口４６ａ周縁とが合わされるので、ケーシング４０内におけるベルマウス５２の上流側端部５２３（図４参照）が前面側近づく、それに合わせて吸着用ダクト６８の外気導入口６８１から空気排出口６８３までの距離を短くすることができ、省スペース化に貢献する。さらに前板４６におけるベルマウス５２の下流側端部５２１及び吸着用ダクト６８の外気導入口６８１はデッドスペースの最小化を考慮すると両者が縦軸上又は横軸上に並べて配置されることはなく、外気導入口６８１はベルマウス５２の下流側端部５２１と前板４６のコーナーとの間又はその後方に配置される。
【０１１０】
この場合、吸着用ダクト６８が吹出口４６ａの開口面に対して傾斜することによって、ベルマウス５２の上流側端部５２３と、吸着用ダクト６８の空気排出口６８３とがより接近するので、ベルマウス５２の上流側端部５２３の負圧の効果をより多く受けることができる。
【０１１１】
（７）変形例
上記実施形態では、加湿ロータ６３が鉛直軸周りに回された傾斜姿勢を採っているが、これに限定されるものではなく、加湿ロータ６３が水平軸周りに回された傾斜姿勢を採ることによっても、ケーシング４０のコーナー若しくはデッドスペースへの配置を容易にし、室外ユニット３０のサイズ拡大を抑制することができる。
【０１１２】
図８は、前板が取り外された状態の変形例に係る室外ユニット３０の正面図である。また図９は、図８におけるベルマウス５２と加湿ユニット６０との位置関係を示す斜視図である。
【０１１３】
図８及び図９において、室外ユニット３０では、デッドスペースの最小化を考慮すると前板４６における吹出口４６ａ及び外気導入口６８１が吹出口４６ａの縦軸上又は横軸上に並べて配置されること不合理であり、外気導入口６８１は吹出口４６ａと前板４６の右上コーナーとの間又はその後方に配置される。
【０１１４】
吹出口４６ａと外気導入口６８１との中心間距離は、ベルマウス５２と吸着用ダクト６８との中心間距離であり、上記実施形態では両者の外周同士が干渉しない最短距離に設定されている。
【０１１５】
負圧を利用して外気導入口６８１から外気を取り込むため、空気排出口６８３に負圧が作用するように、ベルマウス５２の上流側端部の周縁と吸着用ダクト６８の空気排出口６８３の周縁を近接させている。なお、ここまでの記載事項については、上記実施形態にも適用されている。
【０１１６】
ここで、ベルマウス５２の上流側端部の負圧が空気排出口６８３に効果的に作用する理想的な構成は、ベルマウス５２の中心軸と吸着用ダクト６８の中心軸とが一点で交差することである。
【０１１７】
しかし、加湿ロータ６３の水分吸着領域６３ａを除く加湿ユニット６０を機械室４２に収納させるという構造的制約上、ベルマウス５２の中心軸と吸着用ダクト６８の中心軸とが一点で交差する構成は採用できない。
【０１１８】
そこで、本変形例では、ベルマウス５２の上流側端部の負圧が吸着用ダクト６８の空気排出口６８３に効果的に作用するように、加湿ロータ６３を水平軸周りに回して傾斜させている。図８に示すように、加湿ロータ６３の板面が、ベルマウス５２の開口面に対して所定角度θだけ傾斜しており、その所定角度θは５°〜４５°の範囲内であり、推奨値は３０°である。
【０１１９】
加湿ロータ６３の板面がベルマウス５２の開口面に対して所定角度θだけ傾斜することによって、ベルマウス５２の上流側端部と、空気排出口６８３がより接近するので、空気排出口６８３はベルマウス５２の上流側端部の負圧の効果をより多く受けることができる。その結果、外気導入口６８１からより多くの外気を流入させることができる上に、傾斜姿勢によって、ケーシング４０のコーナー若しくはデッドスペースへの配置を容易にし、室外ユニット３０のサイズ拡大を抑制する。
（８）その他
加湿ロータ６３の傾斜姿勢は、鉛直軸周りに回され且つ水平軸周りにも回された傾斜姿勢であってもよい。
【産業上の利用可能性】
【０１２０】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１２１】
１０      空調機
３０      室外ユニット
３３      室外熱交換器
３９      室外ファン
４０      ケーシング（本体ケーシング）
４６      前板（前面）
４６ａ    吹出口
４６ｂ    吸込開口
５２      ベルマウス
５２１    下流側端部
５２３    上流側端部
６３      加湿ロータ（吸着部材）
６８      吸着用ダクト（空気流路）
６８１    外気導入口（空気導入口）
６８３    空気排出口
【先行技術文献】
【特許文献】
【０１２２】
【特許文献１】特開２００８−１９０８２８号公報
【図１】
2016118374.tif 000003
【図２】
2016118374.tif 000004
【図３】
2016118374.tif 000005
【図４】
2016118374.tif 000006
【図５】
2016118374.tif 000007
【図６】
2016118374.tif 000008
【図７】
2016118374.tif 000009
【図８】
2016118374.tif 000010
【図９】
2016118374.tif 000011
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
空気中の水分を吸着した後に加熱されることによって前記水分を放出する板状の吸着部材（６３）を利用した加湿機能を有する、空調機の室外ユニットであって、
天板（４８）、底板（４９）及び仕切部材（４３）を有し、前記天板（４８）と前記底板（４９）とによって挟まれた内部空間が前記仕切部材（４３）によって送風機室（４１）と機械室（４２）とに仕切られ、前記送風機室（４１）の前面に吹出口（４６ａ）を有する本体ケーシング（４０）と、
前記送風機室（４１）に収納される室外熱交換器（３３）と、
前記送風機室（４１）に収納され、前記室外熱交換器（３３）を通過する空気流を生成する室外ファン（３９）と、
を備え、
前記吸着部材（６３）は、前記本体ケーシング（４０）内に配置され、
前記本体ケーシング（４０）には、
前記吹出口（４６ａ）とは異なる位置に設けられ、前記室外ファン（３９）が前記空気流を生成する際に生じる負圧によって、前記室外熱交換器（３３）を通過しない空気を導入して、前記吸着部材（６３）へ流す空気導入口（６８１）と、
前記負圧によって前記吸着部材（６３）内を通過した空気を排出する空気排出口（６８３）と、
を有する空気流路（６８）が設けられている、
空調機の室外ユニット（３０）。
【請求項２】
前記室外ファン（３９）からの空気を前記吹出口（４６ａ）へ案内するベルマウス（５２）をさらに備え、
前記ベルマウス（５２）の空気流れ方向の上流側端部（５２３）と、前記空気流路（６８）の前記空気排出口（６８３）とが隣接している、
請求項１に記載の空調機の室外ユニット（３０）。
【請求項３】
前記ベルマウス（５２）の空気流れ方向の下流側端部（５２１）及び前記空気流路（６８）の前記空気導入口（６８１）が、前記本体ケーシング（４０）の前面（４６）に設けられている、
請求項２に記載の空調機の室外ユニット（３０）。
【請求項４】
前記吸着部材（６３）は、前記吹出口（４６ａ）の開口面に対して傾斜しており、
前記吸着部材（６３）の姿勢は、鉛直軸周りに回された傾斜姿勢である、
請求項１から請求項３のいずれか１項に記載の空調機の室外ユニット（３０）。
【請求項５】
前記吸着部材（６３）は、前記吹出口（４６ａ）の開口面に対して傾斜しており、
前記吸着部材（６３）の姿勢は、水平軸周りに回された傾斜姿勢である、
請求項１から請求項３のいずれか１項に記載の空調機の室外ユニット（３０）。
【請求項６】
前記吸着部材（６３）は、前記吹出口（４６ａ）の開口面に対して傾斜しており、
前記吸着部材（６３）の姿勢は、鉛直軸周りに回され且つ水平軸周りにも回された傾斜姿勢である、
請求項１から請求項３のいずれか１項に記載の空調機の室外ユニット（３０）。
【請求項７】
前記吸着部材（６３）は、前記吹出口（４６ａ）の開口面に対して０°を除く９０°未満の範囲内で傾斜している、
請求項２から請求項６のいずれか１項に記載の空調機の室外ユニット（３０）。
【請求項８】
前記吸着部材（６３）は、前記吹出口（４６ａ）の開口面に対して５°〜４５°の範囲内で傾斜している、
請求項２から請求項６のいずれか１項に記載の空調機の室外ユニット（３０）。
【請求項９】
前記吸着部材（６３）では、前記空気流路（６８）を流れる空気中の水分を吸着する吸着側と、吸着した前記水分を放出する放出側とが並存し、前記吸着側が前記ベルマウス（５２）寄りに配置されている、
請求項２から請求項８に記載の空調機の室外ユニット（３０）。
【請求項１０】
前記吸着部材（６３）は、前記天板（４８）の前記機械室（４２）側コーナーと前記室外ファン（３９）との間に配置されている、
請求項１から請求項９のいずれか１項に記載の空調機の室外ユニット（３０）。
【請求項１１】
前記空気導入口（６８１）が、前記天板（４８）の前記機械室（４２）側コーナーと前記室外ファン（３９）との間に配置されている、
請求項１から請求項９のいずれか１項に記載の空調機の室外ユニット（３０）。
【手続補正２】
【補正対象書類名】明細書
【補正対象項目名】全文
【補正方法】変更
【補正の内容】
【発明の詳細な説明】
【技術分野】
【０００１】
本発明は、空調機の室外ユニットに関し、特に加湿機能を有する空調機の室外ユニットに関する。
【背景技術】
【０００２】
近年、加湿機能を有する空調機の室外ユニットが広く普及するようになった。例えば、特許文献１（特開２００８−１９０８２８号公報）に開示されている室外ユニットでは、吸着部材が前面に平行で且つ吸着部材の一部が前面から視て吹出口と重なるように配置され、その吸着部材に室外熱交換器を通過した空気が流れる。吸着部材は、自己を通過する空気から水分を吸着し、所定の場所で加熱され、水分を放出し加湿空気を生成する。
【発明の概要】
【発明が解決しようとする課題】
【０００３】
上記の室外ユニットでは、吸着部材の一部が前面から視て吹出口と重なるように配置されている関係で小型化を図ることはできるが、空気が室外熱交換器を通過する際に除湿されて水分量が減少した状態で吸着部材に流れるので、吸着部材が吸着できる水分量が減少し、加湿能力が低下する懸念がある。特に、室外熱交換器への着霜が始まると通常よりも通風抵抗が増加するので、吸着部材への風量が減少し、加湿性能が極端に低下する可能性がある。
【０００４】
一方、上記懸念を解消するために、前面から視て吹出口と吸着部材とが重ならないように前面と平行な方向に沿って吹出口と吸着部材とを並べると、今度は、サイズが大型化し、室外ユニットの省スペース化を阻害する。
【０００５】
本発明の課題は、ケーシングのコーナー若しくはデッドスペースへの吸着部材の配置を容易にして大型化を抑制すると共に、吸着部材が吸着する水分量を十分に確保することができる空調機の室外ユニットを提供することにある。
【課題を解決するための手段】
【０００６】
本発明の第１観点に係る空調機の室外ユニットは、空気中の水分を吸着した後に加熱されることによって水分を放出する板状の吸着部材を利用した加湿機能を有する、空調機の室外ユニットであって、本体ケーシングと、室外熱交換器と、室外ファンとを備えている。本体ケーシングは、天板、底板及び仕切部材を有し、天板と底板とによって挟まれた内部空間が仕切部材によって送風機室と機械室とに仕切られ、送風機室の前面に吹出口を有する。室外熱交換器は、送風機室に収容される。室外ファンは、送風機室に収納され、室外熱交換器を通過する空気流を生成する。吸着部材は、本体ケーシング内に配置されている。本体ケーシングには、空気流路が設けられている。その空気流路は、空気導入口と空気排出口とを有している。空気導入口は、吹出口とは異なる位置に設けられ、室外ファンが空気流を生成する際に生じる負圧によって、室外熱交換器を通過しない空気を導入して、吸着部材へ流す。空気排出口は、その負圧によって吸着部材内を通過した空気を排出する。
【０００７】
この室外ユニットでは、室外熱交換器を通過しない空気が空気流路の空気導入口から流入するので、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【０００８】
本発明の第２観点に係る空調機の室外ユニットは、第１観点に係る空調機の室外ユニットであって、室外ファンからの空気を吹出口へ案内するベルマウスをさらに備えている。ベルマウスの空気流れ方向の上流側端部と、空気流路の空気排出口とが隣接している。
【０００９】
この室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。
【００１０】
本発明の第３観点に係る空調機の室外ユニットは、第２観点に係る空調機の室外ユニットであって、ベルマウスの空気流れ方向の下流側端部及び空気流路の空気導入口が、本体ケーシングの前面に設けられている。
【００１１】
この室外ユニットでは、ベルマウスの空気流れ方向の下流側端部が本体ケーシングの前面に設けられるので、ベルマウスの下流側端部と吹出口周縁とが合わされる。その結果、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【００１２】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００１３】
本発明の第４観点に係る空調機の室外ユニットは、第１観点から第３観点のいずれか１つに係る空調機の室外ユニットであって、吸着部材が、吹出口の開口面に対して傾斜している。吸着部材の姿勢は、鉛直軸周りに回された傾斜姿勢である。
【００１４】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００１５】
そこで、この室外ユニットでは、吸着部材が鉛直軸周りに回された傾斜姿勢を採ることによって、本体ケーシングのコーナー若しくはデッドスペースへの配置を容易にし、室外ユニットのサイズ拡大を抑制する。
【００１６】
本発明の第５観点に係る空調機の室外ユニットは、第１観点から第３観点のいずれか１つに係る空調機の室外ユニットであって、吸着部材が、吹出口の開口面に対して傾斜している。吸着部材の姿勢は、水平軸周りに回された傾斜姿勢である。
【００１７】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００１８】
そこで、この室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００１９】
本発明の第６観点に係る空調機の室外ユニットは、第１観点から第３観点のいずれか１つに係る空調機の室外ユニットであって、吸着部材が、吹出口の開口面に対して傾斜している。吸着部材の姿勢は、鉛直軸周りに回され且つ水平軸周りにも回された傾斜姿勢である。
【００２０】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００２１】
そこで、この室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００２２】
本発明の第７観点に係る空調機の室外ユニットは、第２観点から第６観点のいずれか１つに係る空調機の室外ユニットであって、吸着部材が、吹出口の開口面に対して０°を除く９０°未満の範囲内で傾斜している。
【００２３】
この室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００２４】
本発明の第８観点に係る空調機の室外ユニットは、第２観点から第６観点のいずれか１つに係る空調機の室外ユニットであって、吸着部材の傾斜角度が、吹出口の開口面に対して５°〜４５°の範囲内で傾斜している。
【００２５】
この室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００２６】
本発明の第９観点に係る空調機の室外ユニットは、第２観点から第８観点のいずれか１つに係る空調機の室外ユニットであって、吸着部材では、空気流路を流れる空気中の水分を吸着する吸着側と、吸着した水分を放出する放出側とが並存し、吸着側がベルマウス寄りに配置されている。
【００２７】
この室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００２８】
本発明の第１０観点に係る空調機の室外ユニットは、第１観点から第９観点のいずれか１つに係る空調機の室外ユニットであって、吸着部材が、天板の機械室側コーナーと室外ファンとの間に配置されている。
【００２９】
この室外ユニットでは、吸着部材が、天板の機械室側コーナーと室外ファンとの間に配置されることによって、室外ファンの稼動による負圧の効果をより多く受けることができる。また、本体ケーシングのコーナー若しくはデッドスペースへの吸着部材の配置が可能となり、室外ユニットのサイズ拡大を抑制する。
【００３０】
本発明の第１１観点に係る空調機の室外ユニットは、第１観点から第９観点のいずれか１つに係る空調機の室外ユニットであって、空気導入口が、天板の機械室側コーナーと室外ファンの間に配置されている。
【００３１】
この室外ユニットでは、空気導入口が、天板の機械室側コーナーと室外ファンとの間に配置されることによって、室外ファンの稼動による負圧の効果をより多く受けることができる。また、本体ケーシングのコーナー若しくはデッドスペースへの空気導入口の配置が可能となり、室外ユニットのサイズ拡大を抑制する。
【発明の効果】
【００３２】
本発明の第１観点に係る空調機の室外ユニットでは、室外熱交換器を通過しない空気が空気流路の空気導入口から流入するので、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【００３３】
本発明の第２観点に係る空調機の室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。
【００３４】
本発明の第３観点に係る空調機の室外ユニットでは、ベルマウスの空気流れ方向の下流側端部が本体ケーシングの前面に設けられるので、ベルマウスの下流側端部と吹出口周縁とが合わされる。その結果、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【００３５】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００３６】
本発明の第４観点に係る空調機の室外ユニットでは、吸着部材が鉛直軸周りに回された傾斜姿勢を採ることによって、本体ケーシングのコーナー若しくはデッドスペースへの配置を容易にし、室外ユニットのサイズ拡大を抑制する。
【００３７】
本発明の第５観点に係る空調機の室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００３８】
本発明の第６観点に係る空調機の室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００３９】
本発明の第７観点に係る空調機の室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００４０】
本発明の第８観点に係る空調機の室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００４１】
本発明の第９観点に係る空調機の室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００４２】
本発明の第１０観点に係る空調機の室外ユニットでは、吸着部材が、天板の機械室側コーナーと室外ファンとの間に配置されることによって、室外ファンの稼動による負圧の効果をより多く受けることができる。また、本体ケーシングのコーナー若しくはデッドスペースへの吸着部材の配置が可能となり、室外ユニットのサイズ拡大を抑制する。
【００４３】
本発明の第１１観点に係る空調機の室外ユニットでは、空気導入口が、天板の機械室側コーナーと室外ファンとの間に配置されることによって、室外ファンの稼動による負圧の効果をより多く受けることができる。また、本体ケーシングのコーナー若しくはデッドスペースへの空気導入口の配置が可能となり、室外ユニットのサイズ拡大を抑制する。
【図面の簡単な説明】
【００４４】
【図１】本発明の一実施形態に係る室外ユニットを備えた冷凍装置の構成図。
【図２】室外ユニットの外観斜視図。
【図３】防護用グリル、ベルマスス、天板、及び閉鎖弁カバーが取り外された状態の室外ユニットの斜視図。
【図４】防護用グリル、天板、及び閉鎖弁カバーが取り外された状態の室外ユニットの平面図。
【図５】加湿ロータ及びその加湿ロータを通過する空気の流れを示す参考斜視図。
【図６】ヒータを取り外した状態の加湿ユニットの斜視図。
【図７】外気吸入口、加熱前外気入口、及び両者を連絡する連絡ダクトの位置関係を示す概略断面図。
【図８】前板が取り外された状態の変形例に係る室外ユニットの正面図。
【図９】図８におけるベルマウスと加湿ユニットとの位置関係を示す部分斜視図。
【発明を実施するための形態】
【００４５】
以下、図面を参照しながら、本発明の実施形態について説明する。なお、以下の実施形態は、本発明の具体例であって、本発明の技術的範囲を限定するものではない。
【００４６】
（１）空調機１０の構成の概要
図１は、本発明の一実施形態に係る室外ユニット３０を備えた冷凍装置の構成図である。図１において、この冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００４７】
室内ユニット２０には室内熱交換器２１が搭載され、室外ユニット３０には圧縮機３１、四路切換弁３２、室外熱交換器３３、電動膨張弁３４、アキュムレータ３６、液側閉鎖弁３７及びガス側閉鎖弁３８が搭載されている。
【００４８】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００４９】
本実施形態では、加湿ユニット６０が室外ユニット３０内に設けられており、加湿ユニット６０が外気から水分を取り込む機能を有している。
【００５０】
（２）室内ユニット２０の構成
室内ユニット２０には、図１に示すようにモータで駆動される室内ファン２２が室内熱交換器２１の下流側に配置されている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００５１】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００５２】
（３）室外ユニット３０の構成
（３−１）全体構成
図２は、室外ユニット３０の外観斜視図である。また、図３は、室外ユニット３０から防護用グリル５６、ベルマウス５２、天板４８、及び閉鎖弁カバー５７が取り外された状態の当該室外ユニット３０の斜視図である。さらに、図４は、防護用グリル５６、天板４８、及び閉鎖弁カバー５７が取り外された状態の室外ユニット３０の平面図である。
【００５３】
図１〜図４において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図２参照）から吹き出される。通常、吹出口４６ａの前方は防護用グリル５６（図２参照）で覆われており、外部からプロペラ３９ｂに触れられないようになっている。
【００５４】
加湿ユニット６０の少なくとも一部は室外ユニット３０の送風機室４１に配置され、他は機械室４２に配置される。
【００５５】
（３−２）詳細構成
（３−２−１）ケーシング４０
図２から図４に示す通り、ケーシング４０は、図２に記載の防護用グリル５６側を正面に視た状態において、左側面を形成する左側板４５（図４参照）、前面を形成する前板４６、右側面を形成する右側板４７（図３参照）、天面を形成する天板４８（図２参照）、底面を形成する底板４９（図３参照）、及び背面部４４（図４参照）からなる筐体であり、内部を仕切部材４３（図３参照）によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００５６】
仕切部材４３は、天板４８側から底板４９側に向って鉛直方向に延びている。また、仕切部材４３は、前板４６内面側から室外熱交換器３３の右端向かって直線部分及び円弧部分を形成しながら延びている。その結果、仕切部材４３は送風機室４１から機械室４２に風が回り込まないように遮蔽する機能を有している。
【００５７】
また、図２に示すように、前板４６に形成された吹出口４６ａは円形である。吹出口４６ａには、その周縁に沿うようにリング状のベルマウス５２の下流側端部５２１（図４参照）が取り付けられている。
【００５８】
さらに、前板４６には、吹出口４６ａの周縁と右上コーナーとの挟まれた領域に吸込開口４６ｂ（図２参照）が形成されている。この吸込開口４６ｂは、室外熱交換器３３を通過していない外気を取り入れるために設けられている。
【００５９】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００６０】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００６１】
（３−２−４）室外熱交換器３３
図４に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００６２】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００６３】
（３−２−６）仕切部材４３
仕切部材４３は、ケーシング４０内を送風機室４１と機械室４２とに仕切る。本実施形態では、加湿ユニット６０の一部が機械室４２の上部に配置されるので、加湿ユニット６０が仕切部材４３上部の一部分を兼ねている。
【００６４】
（３−２−７）加湿ユニット６０
図４に示すように、加湿ユニット６０は、前板４６と背面部４４との間で、送風機室４１と機械室４２とに跨るように配置されている。加湿ユニット６０は、加湿ロータ６３、吸着用ダクト６８、ヒータ７１（図１参照）、加湿用ダクト７３（図１参照）、ファン７５（図１参照）、及び加湿用第２ダクト１８０（図３参照）を有している。
【００６５】
（３−２−８）防護用グリル５６
図２に示すように、防護用グリル５６は、ケーシング４０の前板４６に取り付けられ、吹出口４６ａを覆っている。防護用グリル５６には、空気を吹き出すため、複数の開口部が形成されている。
【００６６】
（３−２−９）閉鎖弁カバー５７
図３に示すように右側板４７の下方には、液冷媒連絡配管１４が接続される液側閉鎖弁３７と、ガス冷媒連絡配管１６が接続されるガス側閉鎖弁３８とが外側に突出している。
【００６７】
閉鎖弁カバー５７は、液側閉鎖弁３７及びガス側閉鎖弁３８を覆うカバーである。また、閉鎖弁カバー５７は、右側板４７に予め設けられている開口から突出する加湿用第２ダクト１８０をも覆う。当該開口は、加湿ユニット６０のヒータ７１側に取り入れられる外気の吸入口としての機能もあり、説明の便宜上、外気吸入口４７１とよぶ。
【００６８】
また、外気吸入口４７１は、電気配線の取り入れ口、取り出し口としての機能も有し、外気吸入口４７１の近傍に電気配線の結線部５５０が設けられている。
【００６９】
閉鎖弁カバー５７は、右側板４７にビス止めにより固定される。図２に示すように、閉鎖弁カバー５７が、右側板４７に固定されると、液側閉鎖弁３７、ガス側閉鎖弁３８、加湿用第２ダクト１８０、結線部５５０及び外気吸入口４７１は閉鎖弁カバー５７で覆われて保護される。
【００７０】
閉鎖弁カバー５７の外側には、サービスパーソンが室外ユニット３０を持ち上げる際に手を掛けるための窪み部分が設けられており、窪み部分の上側が手を掛ける取っ手５７ａとして機能する。取っ手５７ａは、その窪み部分の庇としての役割も果たしている。
【００７１】
それゆえ、その窪み部分に開口５７１が設けられることにより、取っ手５７ａが開口５７１に直に雨水がかかることを抑制するので、外気のみが開口５７１を通って右側板４７の外気吸入口４７１に到達するようになる。
【００７２】
本実施形態では、外気吸入口４７１と開口５７１とをほぼ同じ高さ位置となるように寸法が設定されている。
【００７３】
（４）加湿ユニット６０の詳細構成
（４−１）加湿ロータ６３
図４に示すように、加湿ロータ６３は、円板状で、鉛直軸周りに回された傾斜姿勢であり、吹出口４６ａの開口面に対して所定角度θだけ傾斜している。その所定角度θは９０°未満（０°を含まない）であるが、５°〜４５°の範囲内であることが望ましく、推奨値は２８．５°である。
【００７４】
加湿ロータ６３の板面が吹出口４６ａの開口面に対して所定角度θだけ傾斜することによって、ケーシング４０のコーナー若しくはデッドスペースへの配置を容易にし、室外ユニット３０のサイズ拡大を抑制することができる。
【００７５】
図５は、加湿ロータ及び加湿ロータを通過する空気の流れを示す斜視図である。図５において、加湿ロータ６３は、モータ駆動によって回転することができる。加湿ロータ６３は、中心角２４０°分の扇形領域で水分を吸着しており、説明の便宜上、この領域を水分吸着領域６３ａという。また、加湿ロータ６３は、水分吸着領域６３ａに隣接する中心角１２０°分の扇形領域で水分を放出しており、説明の便宜上、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００７６】
加湿ロータ６３は、周囲にギア６３ｔが設けられている。また、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００７７】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００７８】
したがって、加湿ユニット６０では、加湿ロータ６３の水分放出領域６３ｂと前板４６との間に、水分放出領域６３ｂと対向するようにヒータ７１が配置されている。
【００７９】
（４−２）吸着用ダクト６８
図６は、ヒータ７１を取り外した状態の加湿ユニット６０の参考斜視図である。図６は、図３に記載の加湿ユニット６０と完全一致のモデルではないが、機能的には同等であり、各部の作用を説明する上で何ら支障はない。
【００８０】
図６において、加湿ユニット６０は、水分吸着領域６３ａに外気を導くための吸着用ダクト６８が設けられている。吸着用ダクト６８は、前板４６の吸込開口４６ｂ（図２参照）に向かって開口する外気導入口６８１を形成している。
【００８１】
水分を含む空気は、外気導入口６８１から吸い込まれた後、吸着用ダクト６８内を流れて加湿ロータ６３の水分吸着領域６３ａに到達し、そこを透過する際に水分が吸着され、空気排出口６８３（図４参照）から排出される。空気排出口６８３は、室外ファン３９が回転するときに負圧になる空間（つまり、ベルマウス５２の上流側端部５２３）に隣接しており、空気排出口６８３側の気圧が外気導入口６８１側より低くなる作用によって、空気が外気導入口６８１から吸い込まれる。なお、水分吸着領域６３ａが水分放出領域６３ｂよりもベルマウス５２側に配置されている。
【００８２】
図２に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００８３】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口４６ｂ及び外気導入口６８１が室外熱交換器３３を通過した空気を吸い込まない構成にしておけば、より水分を含んだ外気を取り込むことができるので、加湿ロータ６３が吸着する水分量が低下することを防止することができる。
【００８４】
また、図４に示すように、加湿ロータ６３の板面が吹出口４６ａの開口面に対して所定角度θだけ傾斜するということは、吸込開口４６ｂに対して所定角度θだけ傾斜していることであり、吸着用ダクト６８の空気排出口６８３も同様に傾斜している。
【００８５】
それゆえ、ベルマウス５２の上流側端部と、空気排出口６８３がより接近し、空気排出口６８３はベルマウス５２の上流側端部の負圧の効果をより多く受けることができる。その結果、吸込開口４６ｂからより多くの外気を流入させることができる。
【００８６】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００８７】
（４−４）加湿用ダクト７３
図１及び図６に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００８８】
加湿用ダクト７３に導かれる空気は、図３及び図４に示すように、加湿ロータ６３を挟んでヒータ７１と反対側に位置する加熱前外気入口７３１からヒータ７１に向かい、ヒータ７１に加熱されて高温空気になり、さらに、加湿ロータ６３を透過する際に水分放出領域６３ｂから水分を放出させ高温高湿空気となってファン７５に向う。
【００８９】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００９０】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００９１】
（４−６）連絡ダクト７７
図７は、外気吸入口４７１、加熱前外気入口７３１、及び両者を連絡する連絡ダクト７７の位置関係を示す概略断面図である。図７において、連絡ダクト７７は、樹脂製の成形部材である。連絡ダクト７７は、ダクト入口７７１と、ダクト出口７７３と、連絡路７７５とを有している。
【００９２】
図７に示すように、右側板４７には、外気を吸入するための開口である外気吸入口４７１が予め設けられている。そして、ダクト入口７７１は、その外気吸入口４７１に対向するように配置されている。
【００９３】
ダクト出口７７３は、加湿用ダクト７３の加熱前外気入口７３１に挿入される。連絡路７７５は、ダクト入口７７１とダクト出口７７３とを結んでいる。
【００９４】
外気吸入口４７１から取り入れられた外気は、連絡ダクト７７を通って加熱前外気入口７３１に到達する。
【００９５】
（４−７）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、図３及び図４に示すように、給気ホース１８との接続口を含む所定部分だけは、右側板４７を挟んで機械室４２の反対側に位置する。
【００９６】
図６に示すように、加湿用第２ダクト１８０は、横方向ダクト部１８１と縦方向ダクト部１８２とを有している。横方向ダクト部１８１は高温高湿空気を横方向に導くダクトであり、縦方向ダクト部１８２は横方向ダクト部１８１に流入した高温高湿空気を下方に導くダクトである。横方向ダクト部１８１は、機械室４２から右側板４７の後方端に向って延びている。
【００９７】
図６では、横方向ダクト部１８１と縦方向ダクト部１８２とが９０°程度の角度を成しているが、あくまでも参考であり９０°以上の角度であってもよい。
【００９８】
なお、縦方向ダクト部１８２は、横方向ダクト部１８１との接続口から下方に延び、終端が、給気ホース１８と接続される。
【００９９】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【０１００】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【０１０１】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【０１０２】
この室内ユニット２０に送られた低圧の冷媒は、気液二相状態の冷媒となって室内熱交換器２１に入り、室内熱交換器２１において室内空気と熱交換を行って蒸発して低圧のガス冷媒となる。
【０１０３】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【０１０４】
このように、空調機１０では、室外熱交換器３３を冷媒の凝縮器として、かつ、室内熱交換器２１を冷媒の蒸発器として機能させる冷房運転を行うことができる。
【０１０５】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【０１０６】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【０１０７】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【０１０８】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【０１０９】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【０１１０】
（５−３）加湿運転
空調機１０では、加湿運転は暖房運転と組み合わせて行われる。図１〜図６に示すように、吸着用ダクト６８の外気導入口６８１（図３参照）は前板４６の吸込開口４６ｂ（図２参照）に向かって開口し、空気排出口６８３（図４参照）は室外ファン３９が回転するときに負圧となるベルマウス５２の上流側端部５２３に隣接している。室外ファン３９が稼動すると、空気排出口６８３側の気圧が外気導入口６８１側より低くなり、その作用によって「室外熱交換器３３を通っていない、水分を含んだ外気」が吸込開口４６ｂを経て外気導入口６８１から吸い込まれる。
【０１１１】
加湿ロータ６３は、外気導入口６８１と空気排出口６８３との間で且つ空気排出口６８３近傍に位置し、加湿運転時にはロータ駆動用モータ６４（図５参照）の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【０１１２】
また、ファン７５（図１参照）も駆動しているので、ヒータ７１に加熱される前の空気は、図７に示すように右側板４７の外気吸入口４７１から取り入れられ、連絡ダクト７７を通り、加熱前外気入口７３１に到達した後、ヒータ７１に向かう。加熱前外気は、ヒータ７１周囲に回り込み、加熱される。
【０１１３】
加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【０１１４】
（６）特徴
（６−１）
室外ユニット３０では、加湿ロータ６３を吹出口４６ａの開口面に対して傾斜させることによって、ケーシング４０のコーナー若しくはデッドスペースへの配置を容易にし、室外ユニット３０のサイズ拡大を抑制する。また、室外熱交換器３３を通過しない空気が吸込開口４６ｂと繋がる吸着用ダクト６８の外気導入口６８１から流入する上、室外熱交換器３３への着霜が発生した際には室外熱交換器３３の通風抵抗増加で減少した風量に相当する量の空気が当該外気導入口６８１から導入されることになり、［室外熱交換器を通過した空気が空気流路の空気導入口から流入するタイプ］よりも吸着風量が増加する。
【０１１５】
（６−２）
室外ユニット３０では、ベルマウス５２と吸着用ダクト６８とが隣接することによって、室外ファン３９の稼動によりベルマウス５２の上流側端部が負圧になり、吸着用ダクト６８の外気導入口６８１から空気が導入されるという作用が働く。特に、ベルマウス５２の上流側端部と吸着用ダクト６８の空気排出口６８３とが隣接することによってベルマウス５２の上流側端部の負圧の効果を多く受けることができる。その結果、吸込開口４６ｂからより多くの外気を流入させることができる。
【０１１６】
（６−３）
室外ユニット３０では、加湿ロータ６３が鉛直軸周りに回された傾斜姿勢であって、吹出口４６ａの開口面に対して５°〜４５°の範囲内で傾斜することによって、ベルマウス５２の上流側端部と、吸着用ダクト６８の空気排出口６８３とがより接近するので、ベルマウス５２の上流側端部の負圧の効果をより多く受けることができる。また、その傾斜姿勢を採ることによって、ケーシング４０のコーナー若しくはデッドスペースへの配置を容易にし、室外ユニット３０のサイズ拡大を抑制する。
【０１１７】
（６−４）
室外ユニット３０では、室外ファン３９の稼動によりベルマウス５２の上流側端部が負圧になることによって吸込開口４６ｂと繋がる吸着用ダクト６８の外気導入口６８１から空気が導入され、導入された空気は加湿ロータ６３の水分吸着領域６３ａに導かれるのが合理的であるから、水分吸着領域６３ａ側がベルマウス５２寄りに配置されることによってベルマウス５２の上流側端部の負圧の効果をより多く受けることができる。その結果、吸込開口４６ｂからより多くの外気を流入させることができる。
【０１１８】
（６−５）
室外ユニット３０では、ベルマウス５２の空気流れ方向の下流側端部５２１（図４参照）がケーシング４０の前板４６に設けられるのでベルマウス５２の下流側端部５２１と吹出口４６ａ周縁とが合わされるので、ケーシング４０内におけるベルマウス５２の上流側端部５２３（図４参照）が前面側近づく、それに合わせて吸着用ダクト６８の外気導入口６８１から空気排出口６８３までの距離を短くすることができ、省スペース化に貢献する。さらに前板４６におけるベルマウス５２の下流側端部５２１及び吸着用ダクト６８の外気導入口６８１はデッドスペースの最小化を考慮すると両者が縦軸上又は横軸上に並べて配置されることはなく、外気導入口６８１はベルマウス５２の下流側端部５２１と前板４６のコーナーとの間又はその後方に配置される。
【０１１９】
この場合、吸着用ダクト６８が吹出口４６ａの開口面に対して傾斜することによって、ベルマウス５２の上流側端部５２３と、吸着用ダクト６８の空気排出口６８３とがより接近するので、ベルマウス５２の上流側端部５２３の負圧の効果をより多く受けることができる。
【０１２０】
（７）変形例
上記実施形態では、加湿ロータ６３が鉛直軸周りに回された傾斜姿勢を採っているが、これに限定されるものではなく、加湿ロータ６３が水平軸周りに回された傾斜姿勢を採ることによっても、ケーシング４０のコーナー若しくはデッドスペースへの配置を容易にし、室外ユニット３０のサイズ拡大を抑制することができる。
【０１２１】
図８は、前板が取り外された状態の変形例に係る室外ユニット３０の正面図である。また図９は、図８におけるベルマウス５２と加湿ユニット６０との位置関係を示す斜視図である。
【０１２２】
図８及び図９において、室外ユニット３０では、デッドスペースの最小化を考慮すると前板４６における吹出口４６ａ及び外気導入口６８１が吹出口４６ａの縦軸上又は横軸上に並べて配置されること不合理であり、外気導入口６８１は吹出口４６ａと前板４６の右上コーナーとの間又はその後方に配置される。
【０１２３】
吹出口４６ａと外気導入口６８１との中心間距離は、ベルマウス５２と吸着用ダクト６８との中心間距離であり、上記実施形態では両者の外周同士が干渉しない最短距離に設定されている。
【０１２４】
負圧を利用して外気導入口６８１から外気を取り込むため、空気排出口６８３に負圧が作用するように、ベルマウス５２の上流側端部の周縁と吸着用ダクト６８の空気排出口６８３の周縁を近接させている。なお、ここまでの記載事項については、上記実施形態にも適用されている。
【０１２５】
ここで、ベルマウス５２の上流側端部の負圧が空気排出口６８３に効果的に作用する理想的な構成は、ベルマウス５２の中心軸と吸着用ダクト６８の中心軸とが一点で交差することである。
【０１２６】
しかし、加湿ロータ６３の水分吸着領域６３ａを除く加湿ユニット６０を機械室４２に収納させるという構造的制約上、ベルマウス５２の中心軸と吸着用ダクト６８の中心軸とが一点で交差する構成は採用できない。
【０１２７】
そこで、本変形例では、ベルマウス５２の上流側端部の負圧が吸着用ダクト６８の空気排出口６８３に効果的に作用するように、加湿ロータ６３を水平軸周りに回して傾斜させている。図８に示すように、加湿ロータ６３の板面が、ベルマウス５２の開口面に対して所定角度θだけ傾斜しており、その所定角度θは５°〜４５°の範囲内であり、推奨値は３０°である。
【０１２８】
加湿ロータ６３の板面がベルマウス５２の開口面に対して所定角度θだけ傾斜することによって、ベルマウス５２の上流側端部と、空気排出口６８３がより接近するので、空気排出口６８３はベルマウス５２の上流側端部の負圧の効果をより多く受けることができる。その結果、外気導入口６８１からより多くの外気を流入させることができる上に、傾斜姿勢によって、ケーシング４０のコーナー若しくはデッドスペースへの配置を容易にし、室外ユニット３０のサイズ拡大を抑制する。
（８）その他
加湿ロータ６３の傾斜姿勢は、鉛直軸周りに回され且つ水平軸周りにも回された傾斜姿勢であってもよい。
【産業上の利用可能性】
【０１２９】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１３０】
１０      空調機
３０      室外ユニット
３３      室外熱交換器
３９      室外ファン
４０      ケーシング（本体ケーシング）
４６      前板（前面）
４６ａ    吹出口
４６ｂ    吸込開口
５２      ベルマウス
５２１    下流側端部
５２３    上流側端部
６３      加湿ロータ（吸着部材）
６８      吸着用ダクト（空気流路）
６８１    外気導入口（空気導入口）
６８３    空気排出口
【先行技術文献】
【特許文献】
【０１３１】
【特許文献１】特開２００８−１９０８２８号公報
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
空気中の水分を吸着した後に加熱されることによって前記水分を放出する板状の吸着部材（６３）を利用した加湿機能を有する、空調機の室外ユニットであって、
天板（４８）、底板（４９）及び仕切部材（４３）を有し、前記天板（４８）と前記底板（４９）とによって挟まれた内部空間が前記仕切部材（４３）によって送風機室（４１）と機械室（４２）とに仕切られ、前記送風機室（４１）の前面に吹出口（４６ａ）を有する本体ケーシング（４０）と、
前記送風機室（４１）に収納される室外熱交換器（３３）と、
前記送風機室（４１）に収納され、前記室外熱交換器（３３）を通過する空気流を生成する室外ファン（３９）と、
前記室外ファン（３９）からの空気を前記吹出口（４６ａ）へ案内するベルマウス（５２）と、
を備え、
前記吸着部材（６３）は、前記本体ケーシング（４０）内で前記空気流の前記室外ファン（３９）より下流側に配置され、
前記本体ケーシング（４０）には、
前記吹出口（４６ａ）とは異なる位置に設けられ、前記室外ファン（３９）が前記空気流を生成する際に生じる負圧によって、前記室外熱交換器（３３）を通過しない空気を導入して、前記吸着部材（６３）へ流す空気導入口（６８１）と、
前記負圧によって前記吸着部材（６３）内を通過した空気を排出する空気排出口（６８３）と、
を有する空気流路（６８）が設けられており、
前記ベルマウス（５２）の空気流れ方向の上流側端部（５２３）と、前記空気流路（６８）の前記空気排出口（６８３）とが隣接し、
前記ベルマウス（５２）の空気流れ方向の下流側端部（５２１）及び前記空気流路（６８）の前記空気導入口（６８１）が、前記本体ケーシング（４０）の前面（４６）に設けられ、
前記吸着部材（６３）は、前記吹出口（４６ａ）の開口面に対して傾斜しており、
前記吸着部材（６３）の姿勢は、鉛直軸周りに回された傾斜姿勢である、
空調機の室外ユニット（３０）。
【請求項２】
空気中の水分を吸着した後に加熱されることによって前記水分を放出する板状の吸着部材（６３）を利用した加湿機能を有する、空調機の室外ユニットであって、
天板（４８）、底板（４９）及び仕切部材（４３）を有し、前記天板（４８）と前記底板（４９）とによって挟まれた内部空間が前記仕切部材（４３）によって送風機室（４１）と機械室（４２）とに仕切られ、前記送風機室（４１）の前面に吹出口（４６ａ）を有する本体ケーシング（４０）と、
前記送風機室（４１）に収納される室外熱交換器（３３）と、
前記送風機室（４１）に収納され、前記室外熱交換器（３３）を通過する空気流を生成する室外ファン（３９）と、
前記室外ファン（３９）からの空気を前記吹出口（４６ａ）へ案内するベルマウス（５２）と、
を備え、
前記吸着部材（６３）は、前記本体ケーシング（４０）内で前記空気流の前記室外ファン（３９）より下流側に配置され、
前記本体ケーシング（４０）には、
前記吹出口（４６ａ）とは異なる位置に設けられ、前記室外ファン（３９）が前記空気流を生成する際に生じる負圧によって、前記室外熱交換器（３３）を通過しない空気を導入して、前記吸着部材（６３）へ流す空気導入口（６８１）と、
前記負圧によって前記吸着部材（６３）内を通過した空気を排出する空気排出口（６８３）と、
を有する空気流路（６８）が設けられており、
前記ベルマウス（５２）の空気流れ方向の上流側端部（５２３）と、前記空気流路（６８）の前記空気排出口（６８３）とが隣接し、
前記ベルマウス（５２）の空気流れ方向の下流側端部（５２１）及び前記空気流路（６８）の前記空気導入口（６８１）が、前記本体ケーシング（４０）の前面（４６）に設けられ、
前記吸着部材（６３）は、前記吹出口（４６ａ）の開口面に対して傾斜しており、
前記吸着部材（６３）の姿勢は、水平軸周りに回された傾斜姿勢である、
空調機の室外ユニット（３０）。
【請求項３】
空気中の水分を吸着した後に加熱されることによって前記水分を放出する板状の吸着部材（６３）を利用した加湿機能を有する、空調機の室外ユニットであって、
天板（４８）、底板（４９）及び仕切部材（４３）を有し、前記天板（４８）と前記底板（４９）とによって挟まれた内部空間が前記仕切部材（４３）によって送風機室（４１）と機械室（４２）とに仕切られ、前記送風機室（４１）の前面に吹出口（４６ａ）を有する本体ケーシング（４０）と、
前記送風機室（４１）に収納される室外熱交換器（３３）と、
前記送風機室（４１）に収納され、前記室外熱交換器（３３）を通過する空気流を生成する室外ファン（３９）と、
前記室外ファン（３９）からの空気を前記吹出口（４６ａ）へ案内するベルマウス（５２）と、
を備え、
前記吸着部材（６３）は、前記本体ケーシング（４０）内で前記空気流の前記室外ファン（３９）より下流側に配置され、
前記本体ケーシング（４０）には、
前記吹出口（４６ａ）とは異なる位置に設けられ、前記室外ファン（３９）が前記空気流を生成する際に生じる負圧によって、前記室外熱交換器（３３）を通過しない空気を導入して、前記吸着部材（６３）へ流す空気導入口（６８１）と、
前記負圧によって前記吸着部材（６３）内を通過した空気を排出する空気排出口（６８３）と、
を有する空気流路（６８）が設けられており、
前記ベルマウス（５２）の空気流れ方向の上流側端部（５２３）と、前記空気流路（６８）の前記空気排出口（６８３）とが隣接し、
前記ベルマウス（５２）の空気流れ方向の下流側端部（５２１）及び前記空気流路（６８）の前記空気導入口（６８１）が、前記本体ケーシング（４０）の前面（４６）に設けられ、
前記吸着部材（６３）は、前記吹出口（４６ａ）の開口面に対して傾斜しており、
前記吸着部材（６３）の姿勢は、鉛直軸周りに回され且つ水平軸周りにも回された傾斜姿勢である、
空調機の室外ユニット（３０）。
【請求項４】
前記吸着部材（６３）は、前記吹出口（４６ａ）の開口面に対して０°を除く９０°未満の範囲内で傾斜している、
請求項１から請求項３のいずれか１項に記載の空調機の室外ユニット（３０）。
【請求項５】
前記吸着部材（６３）は、前記吹出口（４６ａ）の開口面に対して５°〜４５°の範囲内で傾斜している、
請求項１から請求項３のいずれか１項に記載の空調機の室外ユニット（３０）。
【請求項６】
前記吸着部材（６３）では、前記空気流路（６８）を流れる空気中の水分を吸着する吸着側と、吸着した前記水分を放出する放出側とが並存し、前記吸着側が前記ベルマウス（５２）寄りに配置されている、
請求項１から請求項５に記載の空調機の室外ユニット（３０）。
【請求項７】
前記吸着部材（６３）は、前記天板（４８）の前記機械室（４２）側コーナーと前記室外ファン（３９）との間に配置されている、
請求項１から請求項６のいずれか１項に記載の空調機の室外ユニット（３０）。
【請求項８】
前記空気導入口（６８１）が、前記天板（４８）の前記機械室（４２）側コーナーと前記室外ファン（３９）との間に配置されている、
請求項１から請求項６のいずれか１項に記載の空調機の室外ユニット（３０）。
【手続補正２】
【補正対象書類名】明細書
【補正対象項目名】全文
【補正方法】変更
【補正の内容】
【発明の詳細な説明】
【技術分野】
【０００１】
本発明は、空調機の室外ユニットに関し、特に加湿機能を有する空調機の室外ユニットに関する。
【背景技術】
【０００２】
近年、加湿機能を有する空調機の室外ユニットが広く普及するようになった。例えば、特許文献１（特開２００８−１９０８２８号公報）に開示されている室外ユニットでは、吸着部材が前面に平行で且つ吸着部材の一部が前面から視て吹出口と重なるように配置され、その吸着部材に室外熱交換器を通過した空気が流れる。吸着部材は、自己を通過する空気から水分を吸着し、所定の場所で加熱され、水分を放出し加湿空気を生成する。
【発明の概要】
【発明が解決しようとする課題】
【０００３】
上記の室外ユニットでは、吸着部材の一部が前面から視て吹出口と重なるように配置されている関係で小型化を図ることはできるが、空気が室外熱交換器を通過する際に除湿されて水分量が減少した状態で吸着部材に流れるので、吸着部材が吸着できる水分量が減少し、加湿能力が低下する懸念がある。特に、室外熱交換器への着霜が始まると通常よりも通風抵抗が増加するので、吸着部材への風量が減少し、加湿性能が極端に低下する可能性がある。
【０００４】
一方、上記懸念を解消するために、前面から視て吹出口と吸着部材とが重ならないように前面と平行な方向に沿って吹出口と吸着部材とを並べると、今度は、サイズが大型化し、室外ユニットの省スペース化を阻害する。
【０００５】
本発明の課題は、ケーシングのコーナー若しくはデッドスペースへの吸着部材の配置を容易にして大型化を抑制すると共に、吸着部材が吸着する水分量を十分に確保することができる空調機の室外ユニットを提供することにある。
【課題を解決するための手段】
【０００６】
本発明の第１観点に係る空調機の室外ユニットは、空気中の水分を吸着した後に加熱されることによって水分を放出する板状の吸着部材を利用した加湿機能を有する、空調機の室外ユニットであって、本体ケーシングと、室外熱交換器と、室外ファンと、ベルマウスとを備えている。本体ケーシングは、天板、底板及び仕切部材を有し、天板と底板とによって挟まれた内部空間が仕切部材によって送風機室と機械室とに仕切られ、送風機室の前面に吹出口を有する。室外熱交換器は、送風機室に収容される。室外ファンは、送風機室に収納され、室外熱交換器を通過する空気流を生成する。ベルマウスは、室外ファンからの空気を吹出口へ案内する。吸着部材は、本体ケーシング内で空気流の室外ファンより下流側に配置されている。本体ケーシングには、空気流路が設けられている。その空気流路は、空気導入口と空気排出口とを有している。空気導入口は、吹出口とは異なる位置に設けられ、室外ファンが空気流を生成する際に生じる負圧によって、室外熱交換器を通過しない空気を導入して、吸着部材へ流す。空気排出口は、その負圧によって吸着部材内を通過した空気を排出する。ベルマウスの空気流れ方向の上流側端部と、空気流路の空気排出口とは隣接している。ベルマウスの空気流れ方向の下流側端部及び空気流路の空気導入口が、本体ケーシングの前面に設けられている。吸着部材は、吹出口の開口面に対して傾斜している。吸着部材の姿勢は、鉛直軸周りに回された傾斜姿勢である。
【０００７】
この室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。それゆえ、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【０００８】
また、ベルマウスの空気流れ方向の下流側端部が本体ケーシングの前面に設けられるので、ベルマウスの下流側端部と吹出口周縁とが合わされるので、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【０００９】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００１０】
また、吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００１１】
そこで、この室外ユニットでは、吸着部材が鉛直軸周りに回された傾斜姿勢を採ることによって、本体ケーシングのコーナー若しくはデッドスペースへの配置を容易にし、室外ユニットのサイズ拡大を抑制する。
【００１２】
本発明の第２観点に係る空調機の室外ユニットは、空気中の水分を吸着した後に加熱されることによって水分を放出する板状の吸着部材を利用した加湿機能を有する、空調機の室外ユニットであって、本体ケーシングと、室外熱交換器と、室外ファンと、ベルマウスとを備えている。本体ケーシングは、天板、底板及び仕切部材を有し、天板と底板とによって挟まれた内部空間が仕切部材によって送風機室と機械室とに仕切られ、送風機室の前面に吹出口を有する。室外熱交換器は、送風機室に収容される。室外ファンは、送風機室に収納され、室外熱交換器を通過する空気流を生成する。ベルマウスは、室外ファンからの空気を吹出口へ案内する。吸着部材は、本体ケーシング内で空気流の室外ファンより下流側に配置されている。本体ケーシングには、空気流路が設けられている。その空気流路は、空気導入口と空気排出口とを有している。空気導入口は、吹出口とは異なる位置に設けられ、室外ファンが空気流を生成する際に生じる負圧によって、室外熱交換器を通過しない空気を導入して、吸着部材へ流す。空気排出口は、その負圧によって吸着部材内を通過した空気を排出する。ベルマウスの空気流れ方向の上流側端部と、空気流路の空気排出口とは隣接している。ベルマウスの空気流れ方向の下流側端部及び空気流路の空気導入口が、本体ケーシングの前面に設けられている。吸着部材が、吹出口の開口面に対して傾斜している。吸着部材の姿勢は、水平軸周りに回された傾斜姿勢である。
【００１３】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００１４】
そこで、この室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００１５】
本発明の第３観点に係る空調機の室外ユニットは、空気中の水分を吸着した後に加熱されることによって水分を放出する板状の吸着部材を利用した加湿機能を有する、空調機の室外ユニットであって、本体ケーシングと、室外熱交換器と、室外ファンと、ベルマウスとを備えている。本体ケーシングは、天板、底板及び仕切部材を有し、天板と底板とによって挟まれた内部空間が仕切部材によって送風機室と機械室とに仕切られ、送風機室の前面に吹出口を有する。室外熱交換器は、送風機室に収容される。室外ファンは、送風機室に収納され、室外熱交換器を通過する空気流を生成する。ベルマウスは、室外ファンからの空気を吹出口へ案内する。吸着部材は、本体ケーシング内で空気流の室外ファンより下流側に配置されている。本体ケーシングには、空気流路が設けられている。その空気流路は、空気導入口と空気排出口とを有している。空気導入口は、吹出口とは異なる位置に設けられ、室外ファンが空気流を生成する際に生じる負圧によって、室外熱交換器を通過しない空気を導入して、吸着部材へ流す。空気排出口は、その負圧によって吸着部材内を通過した空気を排出する。ベルマウスの空気流れ方向の上流側端部と、空気流路の空気排出口とは隣接している。ベルマウスの空気流れ方向の下流側端部及び空気流路の空気導入口が、本体ケーシングの前面に設けられている。吸着部材が、吹出口の開口面に対して傾斜している。吸着部材の姿勢は、鉛直軸周りに回され且つ水平軸周りにも回された傾斜姿勢である。
【００１６】
吸着部材を通過する空気量を十分に確保するためには、吸着部材は吹出口近くに配置されるのが望ましいが、他の機器との関係から配置場所に制限が及ぶ。しかし、従来のような水平配置又は鉛直配置では本体ケーシングの奥行き寸法又は幅寸法の大型化を招来する。
【００１７】
そこで、この室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００１８】
本発明の第４観点に係る空調機の室外ユニットは、第１観点から第３観点のいずれか１つに係る空調機の室外ユニットであって、吸着部材が、吹出口の開口面に対して０°を除く９０°未満の範囲内で傾斜している。
【００１９】
この室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００２０】
本発明の第５観点に係る空調機の室外ユニットは、第１観点から第３観点のいずれか１つに係る空調機の室外ユニットであって、吸着部材の傾斜角度が、吹出口の開口面に対して５°〜４５°の範囲内で傾斜している。
【００２１】
この室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００２２】
本発明の第６観点に係る空調機の室外ユニットは、第１観点から第５観点のいずれか１つに係る空調機の室外ユニットであって、吸着部材では、空気流路を流れる空気中の水分を吸着する吸着側と、吸着した水分を放出する放出側とが並存し、吸着側がベルマウス寄りに配置されている。
【００２３】
この室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００２４】
本発明の第７観点に係る空調機の室外ユニットは、第１観点から第６観点のいずれか１つに係る空調機の室外ユニットであって、吸着部材が、天板の機械室側コーナーと室外ファンとの間に配置されている。
【００２５】
この室外ユニットでは、吸着部材が、天板の機械室側コーナーと室外ファンとの間に配置されることによって、室外ファンの稼動による負圧の効果をより多く受けることができる。また、本体ケーシングのコーナー若しくはデッドスペースへの吸着部材の配置が可能となり、室外ユニットのサイズ拡大を抑制する。
【００２６】
本発明の第８観点に係る空調機の室外ユニットは、第１観点から第６観点のいずれか１つに係る空調機の室外ユニットであって、空気導入口が、天板の機械室側コーナーと室外ファンの間に配置されている。
【００２７】
この室外ユニットでは、空気導入口が、天板の機械室側コーナーと室外ファンとの間に配置されることによって、室外ファンの稼動による負圧の効果をより多く受けることができる。また、本体ケーシングのコーナー若しくはデッドスペースへの空気導入口の配置が可能となり、室外ユニットのサイズ拡大を抑制する。
【発明の効果】
【００２８】
本発明の第１観点に係る空調機の室外ユニットでは、室外ファンの稼動によりベルマウスの上流側端部が負圧になり、空気流路の空気排出口の圧力が空気導入口よりも低くなることによって、空気導入口から空気が導入されるという作用が働く。特に、ベルマウスの上流側端部と空気流路の空気排出口とが隣接することによってベルマウスの上流側端部の負圧の効果を多く受けることができる。それゆえ、室外熱交換器を通過しない空気が空気流路の空気導入口から流入するので、室外熱交換器への着霜が発生した際には室外熱交換器の通風抵抗増加で減少した風量に相当する量の空気が当該空気導入口から導入されることになり、［室外熱交換器を通過した空気が空気流路の空気導入口から流入するタイプ］よりも吸着風量が増加する。
【００２９】
また、ベルマウスの空気流れ方向の下流側端部が本体ケーシングの前面に設けられるので、ベルマウスの下流側端部と吹出口周縁とが合わされる。その結果、本体ケーシング内におけるベルマウスの上流側端部が前面側近づき、それに合わせて空気流路の空気導入口から空気排出口までの距離を短くすることができ、省スペース化に貢献する。さらに前面におけるベルマウスの下流側端部及び空気流路の空気導入口はデッドスペースの最小化を考慮すると両者が縦軸上又は横軸上に並べて配置されることはなく、空気導入口はベルマウスの下流側端部と前面のコーナーとの間に配置される。
【００３０】
この場合、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００３１】
また、吸着部材が鉛直軸周りに回された傾斜姿勢を採ることによって、本体ケーシングのコーナー若しくはデッドスペースへの配置を容易にし、室外ユニットのサイズ拡大を抑制する。
【００３２】
本発明の第２観点に係る空調機の室外ユニットでは、吸着部材が水平軸周りに回された傾斜姿勢を採ることによって、本体ケーシングのコーナー若しくはデッドスペースへの配置を容易にし、室外ユニットのサイズ拡大を抑制する。
【００３３】
本発明の第３観点に係る空調機の室外ユニットでは、吸着部材が鉛直軸周りに回され且つ水平軸周りにも回された傾斜姿勢を採ることによって、本体ケーシングのコーナー若しくはデッドスペースへの配置を容易にし、室外ユニットのサイズ拡大を抑制する。
【００３４】
本発明の第４観点に係る空調機の室外ユニットでは、吸着部材が吹出口の開口面に対して傾斜することによって、ベルマウスの上流側端部と、空気流路の空気排出口とがより接近するので、ベルマウスの上流側端部の負圧の効果をより多く受けることができる。
【００３５】
本発明の第５観点に係る空調機の室外ユニットでは、吸着部材が吹出口の開口面に対して５°〜４５°の範囲内で傾斜することによって、ベルマウスの上流側端部と、空気流路の空気排出口とがより接近するので、ベルマウスの上流側端部の負圧の効果をより多く受けることができる。
【００３６】
本発明の第６観点に係る空調機の室外ユニットでは、室外ファンの稼動によりベルマウスの上流側端部が負圧になることによって空気流路の空気導入口から空気が導入され、導入された空気は吸着部材の吸着側に導かれるのであるから、ベルマウスの上流側端部の負圧の効果をより多く受けるために、吸着側がベルマウス寄りに配置されることは最も合理的である。
【００３７】
本発明の第７観点に係る空調機の室外ユニットでは、吸着部材が、天板の機械室側コーナーと室外ファンとの間に配置されることによって、室外ファンの稼動による負圧の効果をより多く受けることができる。また、本体ケーシングのコーナー若しくはデッドスペースへの吸着部材の配置が可能となり、室外ユニットのサイズ拡大を抑制する。
【００３８】
本発明の第８観点に係る空調機の室外ユニットでは、空気導入口が、天板の機械室側コーナーと室外ファンとの間に配置されることによって、室外ファンの稼動による負圧の効果をより多く受けることができる。また、本体ケーシングのコーナー若しくはデッドスペースへの空気導入口の配置が可能となり、室外ユニットのサイズ拡大を抑制する。
【図面の簡単な説明】
【００３９】
【図１】本発明の一実施形態に係る室外ユニットを備えた冷凍装置の構成図。
【図２】室外ユニットの外観斜視図。
【図３】防護用グリル、ベルマスス、天板、及び閉鎖弁カバーが取り外された状態の室外ユニットの斜視図。
【図４】防護用グリル、天板、及び閉鎖弁カバーが取り外された状態の室外ユニットの平面図。
【図５】加湿ロータ及びその加湿ロータを通過する空気の流れを示す参考斜視図。
【図６】ヒータを取り外した状態の加湿ユニットの斜視図。
【図７】外気吸入口、加熱前外気入口、及び両者を連絡する連絡ダクトの位置関係を示す概略断面図。
【図８】前板が取り外された状態の変形例に係る室外ユニットの正面図。
【図９】図８におけるベルマウスと加湿ユニットとの位置関係を示す部分斜視図。
【発明を実施するための形態】
【００４０】
以下、図面を参照しながら、本発明の実施形態について説明する。なお、以下の実施形態は、本発明の具体例であって、本発明の技術的範囲を限定するものではない。
【００４１】
（１）空調機１０の構成の概要
図１は、本発明の一実施形態に係る室外ユニット３０を備えた冷凍装置の構成図である。図１において、この冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００４２】
室内ユニット２０には室内熱交換器２１が搭載され、室外ユニット３０には圧縮機３１、四路切換弁３２、室外熱交換器３３、電動膨張弁３４、アキュムレータ３６、液側閉鎖弁３７及びガス側閉鎖弁３８が搭載されている。
【００４３】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００４４】
本実施形態では、加湿ユニット６０が室外ユニット３０内に設けられており、加湿ユニット６０が外気から水分を取り込む機能を有している。
【００４５】
（２）室内ユニット２０の構成
室内ユニット２０には、図１に示すようにモータで駆動される室内ファン２２が室内熱交換器２１の下流側に配置されている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００４６】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００４７】
（３）室外ユニット３０の構成
（３−１）全体構成
図２は、室外ユニット３０の外観斜視図である。また、図３は、室外ユニット３０から防護用グリル５６、ベルマウス５２、天板４８、及び閉鎖弁カバー５７が取り外された状態の当該室外ユニット３０の斜視図である。さらに、図４は、防護用グリル５６、天板４８、及び閉鎖弁カバー５７が取り外された状態の室外ユニット３０の平面図である。
【００４８】
図１〜図４において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図２参照）から吹き出される。通常、吹出口４６ａの前方は防護用グリル５６（図２参照）で覆われており、外部からプロペラ３９ｂに触れられないようになっている。
【００４９】
加湿ユニット６０の少なくとも一部は室外ユニット３０の送風機室４１に配置され、他は機械室４２に配置される。
【００５０】
（３−２）詳細構成
（３−２−１）ケーシング４０
図２から図４に示す通り、ケーシング４０は、図２に記載の防護用グリル５６側を正面に視た状態において、左側面を形成する左側板４５（図４参照）、前面を形成する前板４６、右側面を形成する右側板４７（図３参照）、天面を形成する天板４８（図２参照）、底面を形成する底板４９（図３参照）、及び背面部４４（図４参照）からなる筐体であり、内部を仕切部材４３（図３参照）によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００５１】
仕切部材４３は、天板４８側から底板４９側に向って鉛直方向に延びている。また、仕切部材４３は、前板４６内面側から室外熱交換器３３の右端向かって直線部分及び円弧部分を形成しながら延びている。その結果、仕切部材４３は送風機室４１から機械室４２に風が回り込まないように遮蔽する機能を有している。
【００５２】
また、図２に示すように、前板４６に形成された吹出口４６ａは円形である。吹出口４６ａには、その周縁に沿うようにリング状のベルマウス５２の下流側端部５２１（図４参照）が取り付けられている。
【００５３】
さらに、前板４６には、吹出口４６ａの周縁と右上コーナーとの挟まれた領域に吸込開口４６ｂ（図２参照）が形成されている。この吸込開口４６ｂは、室外熱交換器３３を通過していない外気を取り入れるために設けられている。
【００５４】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００５５】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００５６】
（３−２−４）室外熱交換器３３
図４に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００５７】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００５８】
（３−２−６）仕切部材４３
仕切部材４３は、ケーシング４０内を送風機室４１と機械室４２とに仕切る。本実施形態では、加湿ユニット６０の一部が機械室４２の上部に配置されるので、加湿ユニット６０が仕切部材４３上部の一部分を兼ねている。
【００５９】
（３−２−７）加湿ユニット６０
図４に示すように、加湿ユニット６０は、前板４６と背面部４４との間で、送風機室４１と機械室４２とに跨るように配置されている。加湿ユニット６０は、加湿ロータ６３、吸着用ダクト６８、ヒータ７１（図１参照）、加湿用ダクト７３（図１参照）、ファン７５（図１参照）、及び加湿用第２ダクト１８０（図３参照）を有している。
【００６０】
（３−２−８）防護用グリル５６
図２に示すように、防護用グリル５６は、ケーシング４０の前板４６に取り付けられ、吹出口４６ａを覆っている。防護用グリル５６には、空気を吹き出すため、複数の開口部が形成されている。
【００６１】
（３−２−９）閉鎖弁カバー５７
図３に示すように右側板４７の下方には、液冷媒連絡配管１４が接続される液側閉鎖弁３７と、ガス冷媒連絡配管１６が接続されるガス側閉鎖弁３８とが外側に突出している。
【００６２】
閉鎖弁カバー５７は、液側閉鎖弁３７及びガス側閉鎖弁３８を覆うカバーである。また、閉鎖弁カバー５７は、右側板４７に予め設けられている開口から突出する加湿用第２ダクト１８０をも覆う。当該開口は、加湿ユニット６０のヒータ７１側に取り入れられる外気の吸入口としての機能もあり、説明の便宜上、外気吸入口４７１とよぶ。
【００６３】
また、外気吸入口４７１は、電気配線の取り入れ口、取り出し口としての機能も有し、外気吸入口４７１の近傍に電気配線の結線部５５０が設けられている。
【００６４】
閉鎖弁カバー５７は、右側板４７にビス止めにより固定される。図２に示すように、閉鎖弁カバー５７が、右側板４７に固定されると、液側閉鎖弁３７、ガス側閉鎖弁３８、加湿用第２ダクト１８０、結線部５５０及び外気吸入口４７１は閉鎖弁カバー５７で覆われて保護される。
【００６５】
閉鎖弁カバー５７の外側には、サービスパーソンが室外ユニット３０を持ち上げる際に手を掛けるための窪み部分が設けられており、窪み部分の上側が手を掛ける取っ手５７ａとして機能する。取っ手５７ａは、その窪み部分の庇としての役割も果たしている。
【００６６】
それゆえ、その窪み部分に開口５７１が設けられることにより、取っ手５７ａが開口５７１に直に雨水がかかることを抑制するので、外気のみが開口５７１を通って右側板４７の外気吸入口４７１に到達するようになる。
【００６７】
本実施形態では、外気吸入口４７１と開口５７１とをほぼ同じ高さ位置となるように寸法が設定されている。
【００６８】
（４）加湿ユニット６０の詳細構成
（４−１）加湿ロータ６３
図４に示すように、加湿ロータ６３は、円板状で、鉛直軸周りに回された傾斜姿勢であり、吹出口４６ａの開口面に対して所定角度θだけ傾斜している。その所定角度θは９０°未満（０°を含まない）であるが、５°〜４５°の範囲内であることが望ましく、推奨値は２８．５°である。
【００６９】
加湿ロータ６３の板面が吹出口４６ａの開口面に対して所定角度θだけ傾斜することによって、ケーシング４０のコーナー若しくはデッドスペースへの配置を容易にし、室外ユニット３０のサイズ拡大を抑制することができる。
【００７０】
図５は、加湿ロータ及び加湿ロータを通過する空気の流れを示す斜視図である。図５において、加湿ロータ６３は、モータ駆動によって回転することができる。加湿ロータ６３は、中心角２４０°分の扇形領域で水分を吸着しており、説明の便宜上、この領域を水分吸着領域６３ａという。また、加湿ロータ６３は、水分吸着領域６３ａに隣接する中心角１２０°分の扇形領域で水分を放出しており、説明の便宜上、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００７１】
加湿ロータ６３は、周囲にギア６３ｔが設けられている。また、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００７２】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００７３】
したがって、加湿ユニット６０では、加湿ロータ６３の水分放出領域６３ｂと前板４６との間に、水分放出領域６３ｂと対向するようにヒータ７１が配置されている。
【００７４】
（４−２）吸着用ダクト６８
図６は、ヒータ７１を取り外した状態の加湿ユニット６０の参考斜視図である。図６は、図３に記載の加湿ユニット６０と完全一致のモデルではないが、機能的には同等であり、各部の作用を説明する上で何ら支障はない。
【００７５】
図６において、加湿ユニット６０は、水分吸着領域６３ａに外気を導くための吸着用ダクト６８が設けられている。吸着用ダクト６８は、前板４６の吸込開口４６ｂ（図２参照）に向かって開口する外気導入口６８１を形成している。
【００７６】
水分を含む空気は、外気導入口６８１から吸い込まれた後、吸着用ダクト６８内を流れて加湿ロータ６３の水分吸着領域６３ａに到達し、そこを透過する際に水分が吸着され、空気排出口６８３（図４参照）から排出される。空気排出口６８３は、室外ファン３９が回転するときに負圧になる空間（つまり、ベルマウス５２の上流側端部５２３）に隣接しており、空気排出口６８３側の気圧が外気導入口６８１側より低くなる作用によって、空気が外気導入口６８１から吸い込まれる。なお、水分吸着領域６３ａが水分放出領域６３ｂよりもベルマウス５２側に配置されている。
【００７７】
図２に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００７８】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口４６ｂ及び外気導入口６８１が室外熱交換器３３を通過した空気を吸い込まない構成にしておけば、より水分を含んだ外気を取り込むことができるので、加湿ロータ６３が吸着する水分量が低下することを防止することができる。
【００７９】
また、図４に示すように、加湿ロータ６３の板面が吹出口４６ａの開口面に対して所定角度θだけ傾斜するということは、吸込開口４６ｂに対して所定角度θだけ傾斜していることであり、吸着用ダクト６８の空気排出口６８３も同様に傾斜している。
【００８０】
それゆえ、ベルマウス５２の上流側端部と、空気排出口６８３がより接近し、空気排出口６８３はベルマウス５２の上流側端部の負圧の効果をより多く受けることができる。その結果、吸込開口４６ｂからより多くの外気を流入させることができる。
【００８１】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００８２】
（４−４）加湿用ダクト７３
図１及び図６に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００８３】
加湿用ダクト７３に導かれる空気は、図３及び図４に示すように、加湿ロータ６３を挟んでヒータ７１と反対側に位置する加熱前外気入口７３１からヒータ７１に向かい、ヒータ７１に加熱されて高温空気になり、さらに、加湿ロータ６３を透過する際に水分放出領域６３ｂから水分を放出させ高温高湿空気となってファン７５に向う。
【００８４】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００８５】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００８６】
（４−６）連絡ダクト７７
図７は、外気吸入口４７１、加熱前外気入口７３１、及び両者を連絡する連絡ダクト７７の位置関係を示す概略断面図である。図７において、連絡ダクト７７は、樹脂製の成形部材である。連絡ダクト７７は、ダクト入口７７１と、ダクト出口７７３と、連絡路７７５とを有している。
【００８７】
図７に示すように、右側板４７には、外気を吸入するための開口である外気吸入口４７１が予め設けられている。そして、ダクト入口７７１は、その外気吸入口４７１に対向するように配置されている。
【００８８】
ダクト出口７７３は、加湿用ダクト７３の加熱前外気入口７３１に挿入される。連絡路７７５は、ダクト入口７７１とダクト出口７７３とを結んでいる。
【００８９】
外気吸入口４７１から取り入れられた外気は、連絡ダクト７７を通って加熱前外気入口７３１に到達する。
【００９０】
（４−７）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、図３及び図４に示すように、給気ホース１８との接続口を含む所定部分だけは、右側板４７を挟んで機械室４２の反対側に位置する。
【００９１】
図６に示すように、加湿用第２ダクト１８０は、横方向ダクト部１８１と縦方向ダクト部１８２とを有している。横方向ダクト部１８１は高温高湿空気を横方向に導くダクトであり、縦方向ダクト部１８２は横方向ダクト部１８１に流入した高温高湿空気を下方に導くダクトである。横方向ダクト部１８１は、機械室４２から右側板４７の後方端に向って延びている。
【００９２】
図６では、横方向ダクト部１８１と縦方向ダクト部１８２とが９０°程度の角度を成しているが、あくまでも参考であり９０°以上の角度であってもよい。
【００９３】
なお、縦方向ダクト部１８２は、横方向ダクト部１８１との接続口から下方に延び、終端が、給気ホース１８と接続される。
【００９４】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００９５】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００９６】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００９７】
この室内ユニット２０に送られた低圧の冷媒は、気液二相状態の冷媒となって室内熱交換器２１に入り、室内熱交換器２１において室内空気と熱交換を行って蒸発して低圧のガス冷媒となる。
【００９８】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００９９】
このように、空調機１０では、室外熱交換器３３を冷媒の凝縮器として、かつ、室内熱交換器２１を冷媒の蒸発器として機能させる冷房運転を行うことができる。
【０１００】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【０１０１】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【０１０２】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【０１０３】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【０１０４】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【０１０５】
（５−３）加湿運転
空調機１０では、加湿運転は暖房運転と組み合わせて行われる。図１〜図６に示すように、吸着用ダクト６８の外気導入口６８１（図３参照）は前板４６の吸込開口４６ｂ（図２参照）に向かって開口し、空気排出口６８３（図４参照）は室外ファン３９が回転するときに負圧となるベルマウス５２の上流側端部５２３に隣接している。室外ファン３９が稼動すると、空気排出口６８３側の気圧が外気導入口６８１側より低くなり、その作用によって「室外熱交換器３３を通っていない、水分を含んだ外気」が吸込開口４６ｂを経て外気導入口６８１から吸い込まれる。
【０１０６】
加湿ロータ６３は、外気導入口６８１と空気排出口６８３との間で且つ空気排出口６８３近傍に位置し、加湿運転時にはロータ駆動用モータ６４（図５参照）の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【０１０７】
また、ファン７５（図１参照）も駆動しているので、ヒータ７１に加熱される前の空気は、図７に示すように右側板４７の外気吸入口４７１から取り入れられ、連絡ダクト７７を通り、加熱前外気入口７３１に到達した後、ヒータ７１に向かう。加熱前外気は、ヒータ７１周囲に回り込み、加熱される。
【０１０８】
加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【０１０９】
（６）特徴
（６−１）
室外ユニット３０では、加湿ロータ６３を吹出口４６ａの開口面に対して傾斜させることによって、ケーシング４０のコーナー若しくはデッドスペースへの配置を容易にし、室外ユニット３０のサイズ拡大を抑制する。また、室外熱交換器３３を通過しない空気が吸込開口４６ｂと繋がる吸着用ダクト６８の外気導入口６８１から流入する上、室外熱交換器３３への着霜が発生した際には室外熱交換器３３の通風抵抗増加で減少した風量に相当する量の空気が当該外気導入口６８１から導入されることになり、［室外熱交換器を通過した空気が空気流路の空気導入口から流入するタイプ］よりも吸着風量が増加する。
【０１１０】
（６−２）
室外ユニット３０では、ベルマウス５２と吸着用ダクト６８とが隣接することによって、室外ファン３９の稼動によりベルマウス５２の上流側端部が負圧になり、吸着用ダクト６８の外気導入口６８１から空気が導入されるという作用が働く。特に、ベルマウス５２の上流側端部と吸着用ダクト６８の空気排出口６８３とが隣接することによってベルマウス５２の上流側端部の負圧の効果を多く受けることができる。その結果、吸込開口４６ｂからより多くの外気を流入させることができる。
【０１１１】
（６−３）
室外ユニット３０では、加湿ロータ６３が鉛直軸周りに回された傾斜姿勢であって、吹出口４６ａの開口面に対して５°〜４５°の範囲内で傾斜することによって、ベルマウス５２の上流側端部と、吸着用ダクト６８の空気排出口６８３とがより接近するので、ベルマウス５２の上流側端部の負圧の効果をより多く受けることができる。また、その傾斜姿勢を採ることによって、ケーシング４０のコーナー若しくはデッドスペースへの配置を容易にし、室外ユニット３０のサイズ拡大を抑制する。
【０１１２】
（６−４）
室外ユニット３０では、室外ファン３９の稼動によりベルマウス５２の上流側端部が負圧になることによって吸込開口４６ｂと繋がる吸着用ダクト６８の外気導入口６８１から空気が導入され、導入された空気は加湿ロータ６３の水分吸着領域６３ａに導かれるのが合理的であるから、水分吸着領域６３ａ側がベルマウス５２寄りに配置されることによってベルマウス５２の上流側端部の負圧の効果をより多く受けることができる。その結果、吸込開口４６ｂからより多くの外気を流入させることができる。
【０１１３】
（６−５）
室外ユニット３０では、ベルマウス５２の空気流れ方向の下流側端部５２１（図４参照）がケーシング４０の前板４６に設けられるのでベルマウス５２の下流側端部５２１と吹出口４６ａ周縁とが合わされるので、ケーシング４０内におけるベルマウス５２の上流側端部５２３（図４参照）が前面側近づく、それに合わせて吸着用ダクト６８の外気導入口６８１から空気排出口６８３までの距離を短くすることができ、省スペース化に貢献する。さらに前板４６におけるベルマウス５２の下流側端部５２１及び吸着用ダクト６８の外気導入口６８１はデッドスペースの最小化を考慮すると両者が縦軸上又は横軸上に並べて配置されることはなく、外気導入口６８１はベルマウス５２の下流側端部５２１と前板４６のコーナーとの間又はその後方に配置される。
【０１１４】
この場合、吸着用ダクト６８が吹出口４６ａの開口面に対して傾斜することによって、ベルマウス５２の上流側端部５２３と、吸着用ダクト６８の空気排出口６８３とがより接近するので、ベルマウス５２の上流側端部５２３の負圧の効果をより多く受けることができる。
【０１１５】
（７）変形例
上記実施形態では、加湿ロータ６３が鉛直軸周りに回された傾斜姿勢を採っているが、これに限定されるものではなく、加湿ロータ６３が水平軸周りに回された傾斜姿勢を採ることによっても、ケーシング４０のコーナー若しくはデッドスペースへの配置を容易にし、室外ユニット３０のサイズ拡大を抑制することができる。
【０１１６】
図８は、前板が取り外された状態の変形例に係る室外ユニット３０の正面図である。また図９は、図８におけるベルマウス５２と加湿ユニット６０との位置関係を示す斜視図である。
【０１１７】
図８及び図９において、室外ユニット３０では、デッドスペースの最小化を考慮すると前板４６における吹出口４６ａ及び外気導入口６８１が吹出口４６ａの縦軸上又は横軸上に並べて配置されること不合理であり、外気導入口６８１は吹出口４６ａと前板４６の右上コーナーとの間又はその後方に配置される。
【０１１８】
吹出口４６ａと外気導入口６８１との中心間距離は、ベルマウス５２と吸着用ダクト６８との中心間距離であり、上記実施形態では両者の外周同士が干渉しない最短距離に設定されている。
【０１１９】
負圧を利用して外気導入口６８１から外気を取り込むため、空気排出口６８３に負圧が作用するように、ベルマウス５２の上流側端部の周縁と吸着用ダクト６８の空気排出口６８３の周縁を近接させている。なお、ここまでの記載事項については、上記実施形態にも適用されている。
【０１２０】
ここで、ベルマウス５２の上流側端部の負圧が空気排出口６８３に効果的に作用する理想的な構成は、ベルマウス５２の中心軸と吸着用ダクト６８の中心軸とが一点で交差することである。
【０１２１】
しかし、加湿ロータ６３の水分吸着領域６３ａを除く加湿ユニット６０を機械室４２に収納させるという構造的制約上、ベルマウス５２の中心軸と吸着用ダクト６８の中心軸とが一点で交差する構成は採用できない。
【０１２２】
そこで、本変形例では、ベルマウス５２の上流側端部の負圧が吸着用ダクト６８の空気排出口６８３に効果的に作用するように、加湿ロータ６３を水平軸周りに回して傾斜させている。図８に示すように、加湿ロータ６３の板面が、ベルマウス５２の開口面に対して所定角度θだけ傾斜しており、その所定角度θは５°〜４５°の範囲内であり、推奨値は３０°である。
【０１２３】
加湿ロータ６３の板面がベルマウス５２の開口面に対して所定角度θだけ傾斜することによって、ベルマウス５２の上流側端部と、空気排出口６８３がより接近するので、空気排出口６８３はベルマウス５２の上流側端部の負圧の効果をより多く受けることができる。その結果、外気導入口６８１からより多くの外気を流入させることができる上に、傾斜姿勢によって、ケーシング４０のコーナー若しくはデッドスペースへの配置を容易にし、室外ユニット３０のサイズ拡大を抑制する。
（８）その他
加湿ロータ６３の傾斜姿勢は、鉛直軸周りに回され且つ水平軸周りにも回された傾斜姿勢であってもよい。
【産業上の利用可能性】
【０１２４】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【０１２５】
１０      空調機
３０      室外ユニット
３３      室外熱交換器
３９      室外ファン
４０      ケーシング（本体ケーシング）
４６      前板（前面）
４６ａ    吹出口
４６ｂ    吸込開口
５２      ベルマウス
５２１    下流側端部
５２３    上流側端部
６３      加湿ロータ（吸着部材）
６８      吸着用ダクト（空気流路）
６８１    外気導入口（空気導入口）
６８３    空気排出口
【先行技術文献】
【特許文献】
【０１２６】
【特許文献１】特開２００８−１９０８２８号公報